(57)【要約】【課題】光学部材を精度よく位置決めしモールド加工のような追加やビス止めをすることなく、バックライトシャーシに固定してある表示装置を提供する。【解決手段】表面に画像を表示する表示パネルと、該表示パネルの裏面側に配され、光を拡散させ表示パネルに入射させる光学シート５と、表示パネルの裏面及び側面を保持し、箱体状をなす保持体１と、前記光学シート５の側面及び前記保持体１の側面との間に介在する側板部、及び前記表示パネルの表面と平行な表板部を有し、前記光学シート５の面方向の位置決めを行う位置決め部材６とを備えた表示装置において、前記光学シート５の辺縁部には面方向に突出する位置決めのための凸部５１ａが設けてあり、該表板部には前記凸部５１ａが緩挿される切り欠き６２ｂが設けてあることを特徴とする。【選択図】図３
2014082202.tif 000002
【特許請求の範囲】
【請求項１】
表面に画像を表示する表示パネルと、該表示パネルの裏面側に配され、光を拡散させ前記表示パネルに入射させる光学シートと、
前記表示パネルの裏面及び側面を保持し、箱体状をなす保持体と、
前記光学シートの側面及び前記保持体の側面との間に介在する側板部、及び前記表示パネルの表面と平行な表板部を有し、前記光学シートの面方向の位置決めを行う位置決め部材と
を備えた表示装置において、
前記光学シートの辺縁部には面方向に突出する位置決めのための凸部が設けてあり、
該表板部には前記凸部が緩挿される切り欠きが設けてあること
を特徴とする表示装置。
【請求項２】
前記光学シートは平面視矩形状としてあり、
前記凸部は前記光学シートの辺縁部の相対向する２辺それぞれに設けてあること
を特徴とする請求項１に記載の表示装置。
【請求項３】
前記凸部は前記光学シートの辺縁部の他２辺のいずれか１辺に、さらに１つ設けてあること
を特徴とする請求項２に記載の表示装置。
【請求項４】
前記表示パネルに光を供給する発光素子と、
該発光素子の光を側面から入射させ前記表示パネルの裏面方向へ出射して前記表示パネルを照射する導光板とを備え、
該導光板は前記表示パネルと前記光学シートとの間に配してあり、
前記導光板の外周部には嵌合凸部が設けてあり、
前記側板部には前記嵌合凸部と嵌合し、前記導光板の位置決めする嵌合凹部が設けてあること
を特徴する請求項１から請求項３のいずれか一項に記載の表示装置。
【請求項５】
前記位置決め部材は前記導光板の表面及び側面を覆うようにしてあり、前記導光板から漏れた光を遮光するようにしてあること
を特徴とする請求項４に記載の表示装置。
【請求項６】
液晶パネルの背面に配された導光板と、該導光板の側面側に配置された光源基板と、前記導光板及び光源基板を収容する収容体と、前記液晶パネルの正面周縁部分及び前記収容体の背面を覆う外装部品とを備える液晶表示装置において、
前記収容体及び前記外装部品の間に介在し、前記光源又は前記導光板から外部へ漏出する光を遮蔽する遮光部材を備え、
該遮光部材は、前記外装部品との当接面を有し、該当接面に窪みが形成してあること
を特徴とする液晶表示装置。
【請求項７】
前記遮光部材の前記当接面は、櫛形状又は格子形状であること
を特徴とする請求項６に記載の液晶表示装置。
【請求項８】
前記収容体は、前記導光板の背面を覆う背面部と、該背面部の周囲に設けられた周壁部とを有し、
前記光源基板は、前記周壁部の内側に当接して前記収容体に収容してあり、
前記遮光部材は、前記周壁部の外側に当接する第１の部分と、該第１の部分に対して屈曲又は湾曲して設けられ、前記導光板の正面周縁部分に当接する第２の部分とを有し、
前記第１の部分は、前記周壁部に当接する側の反対側を前記外装部品との当接面としてあること
を特徴とする請求項６又は請求項７に記載の液晶表示装置。
【請求項９】
前記遮光部材の熱伝導率は、前記収容体及び前記外装部品の熱伝導率より小さいこと
を特徴とする請求項６から請求項８までのいずれか１つに記載の液晶表示装置。
【請求項１０】
前記遮光部材は、合成樹脂による一体成型品であり、
前記収容体及び前記外装部品は、金属製であること
を特徴とする請求項６から請求項９までのいずれか１つに記載の液晶表示装置。
【請求項１１】
液晶パネルの背面に配された一又は複数の光学シートと、該光学シートの背面に配された導光板と、該導光板の側面側に配置された光源基板と、前記導光板及び光源基板を収容する収容体と、前記液晶パネルの正面周縁部分及び前記収容体の背面を覆う外装部品とを備える液晶表示装置において、
前記収容体は、前記導光板の背面を覆う背面部と、該背面部の周囲に設けられた周壁部とを有し、
前記導光板の正面周縁部分及び前記収容体の前記周壁部に当接し、前記光源又は前記導光板から外部へ漏出する光を遮蔽する遮光部材を備え、
前記外装部品は、前記液晶パネル及び前記収容体を挟み込むようにしてあり、
前記外装部品の装着により前記遮光部材が前記導光板を背面側へ押圧するようにしてあること
を特徴とする液晶表示装置。
【請求項１２】
前記遮光部材は、
前記液晶パネルの背面周縁部分に当接するパネル当接面と、
該パネル当接面に沿う方向に対する前記液晶パネルの位置を定める位置決め突部と
を有すること
を特徴とする請求項１１に記載の液晶表示装置。
【請求項１３】
前記パネル当接面は、平坦面であり、
前記位置決め突部には、傾斜面が形成してあること
を特徴とする請求項１２に記載の液晶表示装置。
【請求項１４】
前記周壁部は四角枠状をなし、
前記光源基板は、前記周壁部の一辺の内側に当接して前記収容体に収容してあり、
前記遮光部材は、
前記一辺にて前記周壁部の外面に当接し、
他の辺にて前記周壁部の内面に当接するようにしてあること
を特徴とする請求項１１から請求項１３までのいずれか１つに記載の液晶表示装置。
【請求項１５】
前記遮光部材は枠状をなし、
前記光学シートは、前記遮光部材の内側に配置され、
前記光学シートに延出して設けられた一又は複数の延出部と、
前記遮光部材に形成され、前記延出部を収容して前記光学シートの位置を定める一又は複数の位置決め凹部と
を備えること
を特徴とする請求項１１から請求項１４までのいずれか１つに記載の液晶表示装置。
【発明の詳細な説明】
【技術分野】
【０００１】
本発明は、表示パネルと、光を拡散させ前記表示パネルに入射させる光学シートと、表示パネルの裏面及び側面を保持し箱体状をなす保持体とを備える表示装置に関する。
【背景技術】
【０００２】
表示装置の１つに液晶表示装置がある。液晶表示装置に用いられる液晶パネルは光を発しないため、画像を表示させるためにバックライトを必要とする。液晶パネルに光を入射させる方式としてエッジライト方式がある。エッジライト方式では、箱体状のバックライトシャーシに反射シート、導光板、光学シート、液晶パネルを積層し、導光板の側面からＬＥＤなどの光源の光を入射させ、反射シート、導光板により液晶パネルに光を照射する方式である。
【０００３】
エッジライト方式では光源、導光板、及び光学シートを精度よく組み付ける必要がある。これらの位置関係が適切でないと、液晶パネルに表示される画像の輝度の低下や、輝度のムラ等を招くからである。
【０００４】
それに対して、特許文献１には調光シート（光学シート）に凸部を設け、額縁に設けた凹部と嵌合させることにより、位置決めを行うようにしてある表示装置が記載されている。
【先行技術文献】
【特許文献】
【０００５】
【特許文献１】特開２００８−８４７１４号公報
【特許文献２】特開２００６−２１６２４４号公報
【特許文献３】特開２０１１−１０７４４２号公報
【特許文献４】特開２００５−１７３３０２号公報
【特許文献５】特開２００２−２２１７０４号公報
【特許文献６】特開２００９−１８０９３２号公報
【発明の概要】
【発明が解決しようとする課題】
【０００６】
一方、近年、表示装置の薄型化、軽量化、狭額縁化が行われている。これらを実現するものとして、エッジライト方式の液晶表示装置において、バックライトシャーシに反射シート、導光板、光学シート、表示パネルを順に積み上げて、前側フレームとバックライトシャーシとで挟むことにより固定した表示装置が実現されている。従来の表示装置が備えていたバックライトシャーシの背面及び側面を覆う樹脂製のリアキャビネットが廃されているため、前後方向の厚さが低減され薄型が実現される。また、高さ方向、横方向の寸法が概ね表示パネル寸法に準じた値となり、狭額縁化が実現される。
【０００７】
このような表示装置においても光源、導光板、及び光学シートを精度よく組み付ける必要がある。しかしながら、特許文献１に記載の表示装置は、樹脂で形成したケース枠にモールド加工により導光板を固定している。一方、バックライトシャーシは強度、コストの点から鉄板より形成されるため、特許文献１に示された構造は採用できない。
【０００８】
本発明は上述のような事情に鑑みてなされたものであり、薄型・狭額縁化を図りつつ、導光板、光学シート等を精度よく位置決めし、モールド加工やビス止めをすることなく、バックライトシャーシに固定してある表示装置を提供することを目的とする。
【０００９】
本発明は、液晶パネルの側面側に光源が配置される構成の液晶表示装置に関する。
【００１０】
近年、表示装置の薄型化、軽量化及び狭縁化が進められている。液晶パネルを用いた表示装置は、バックライトを搭載する必要があるため、例えば有機ＥＬ（Electro-Luminescence）の表示装置と比較して薄型化が難しい。液晶表示装置を薄型化するために、液晶パネルの背面に導光板などの光学部材を配置し、光学部材の側面側にＬＥＤ（Light Emitting Diode）などの光源を配置する構成とすることができる。この構成は、いわゆるエッジライト方式の液晶表示装置の構成である。
【００１１】
特許文献２においては、ＬＥＤ光源が発する熱を放散させて温度上昇を抑え、発光効率の低下を抑制する液晶表示装置が提案されている。この液晶表示装置は、エッジライト方式の構成であり、複数のＬＥＤ光源を配線板にアレイ状に実装すると共に、配線板の両面に放熱体をそれぞれ設け、この放熱体をフレームに直接接触させた構成をなしている。
【００１２】
エッジライト方式の液晶表示装置では、液晶パネルの側面側に光源が配置されるが、液晶表示装置の筐体などにおいて側面部分は、持ち運びなどの際にユーザが触れる可能性が高い箇所でもある。この箇所に光源から発せられた熱が伝わることによって、ユーザが触れる箇所の温度が上昇するという問題がある。特許文献２に記載の液晶表示装置も、配線基板から放熱体を介してフレームに熱が伝わり、フレームから筐体などへ熱が伝わるため、同様の問題を有している。
【００１３】
上記の問題を解決するために、光源から液晶表示装置の筐体などへの熱の伝導を完全に遮断することが考えられる。しかしながら、このような構成では光源が発した熱により液晶表示装置内の温度が上昇し、光源及びその他の部品の劣化を早めるという問題が生じる。
【００１４】
本発明は、斯かる事情に鑑みてなされたものであって、その目的とするところは、光源が発した熱を適度に外部へ伝えることが可能な液晶表示装置を提供することにある。
【００１５】
本発明は、液晶パネルの側面側に光源が配置される構成の液晶表示装置に関する。
【００１６】
近年、表示装置の薄型化、軽量化及び狭額縁化が進められている。液晶パネルを用いた表示装置は、バックライトを搭載する必要があるため、例えば自発光型である有機ＥＬ（Electro-Luminescence）パネルを用いた表示装置と比較して薄型化が難しい。液晶表示装置を薄型化するために、液晶パネルの背面に導光板などの光学部材を配置し、光学部材の側面側にＬＥＤ（Light Emitting Diode）などの光源を配置する構成とすることができる。この構成は、いわゆるエッジライト方式の液晶表示装置の構成である（例えば特許文献２参照）。
【００１７】
従来の液晶表示装置では、液晶パネルを支持する支持部材が液晶パネルと導光板などの光学部材との間に介在した構成とされている。特許文献３に記載の液晶表示装置もこのような構成が採用されている。そこで液晶表示装置を薄型化するために、液晶パネルの支持部材を廃し、液晶パネルと光学部材とを接触させて配することで隙間をなくし、液晶表示装置を薄型化することが考えられる。
【００１８】
しかしながらエッジライト方式の液晶表示装置にて、上記のように液晶パネルと光学シートとを接触して配する構成とし、更に狭額縁化を行った場合、光源から発せられた光が、液晶パネルの縁部分などから外部へ漏出し易くなるという問題がある。
【００１９】
本発明は、斯かる事情に鑑みてなされたものであって、その目的とするところは、光源又は導光板等からの光が外部へ漏出することを防止でき、薄型化及び狭額縁化等を実現できる液晶表示装置を提供することにある。
【００２０】
本発明は、バックライトシャーシに導光板、ＬＥＤ光源を固定してある表示装置に関する。
【００２１】
近年、表示装置の薄型化、軽量化、狭額縁化がさらに求められている。それを実現したものとしてバックライトシャーシを箱形状とし、バックライトシャーシに反射シート、導光板、光学シート、表示パネルを積み上げた表示装置がある。該表示装置は外観の大きさが表示パネル等の光学部材に準じた大きさとなり、薄型が可能となる。
【００２２】
光源からの光が導光板を介して表示パネルに供給される表示装置においては、各光学部材の位置決めを精度良く行う必要がある。光源と導光板との間隔によって、光源から導光板へ入光する光量が変化するからである。導光板に十分な光量の光が入らない場合、表示パネルの輝度が十分得られない。表示パネルの輝度不足は性能の低下を招くこととなる。
【００２３】
しかし、バックライトシャーシは強度、コストの点から鋼板をプレス加工して形成される。プレス加工は樹脂成形に比べると精度が落ち、複雑な形状を形成することは困難である。したがって、光学部材を高精度で位置決めすることが可能な固定構造を、バックライトシャーシに形成するのは困難である。
【００２４】
それに対して、特許文献４にはリアフレーム（バックライトシャーシに相当）上に反射シートを介してフレームが取り付けられ、フレームの枠内にＬＥＤ光源と導光板の一端面とが近接又は密接して対置され、一端面が近接又は密接して対置される側とは反対側に導光板をＬＥＤ光源に押し付ける弾性手段及び導光板の位置決め手段を備えた表示装置が記載されている。
【００２５】
しかしながら、特許文献４に記載の表示装置では、ＬＥＤ光源と導光板の固定のためにフレームが用いられているため、狭額縁化が達成されていない。また、弾性手段を用いてＬＥＤ光源に導光板を近接又は密接させている。導光板はＬＥＤ光源から発生する熱により膨張するが、弾性手段を用いて導光板にＬＥＤ光源を近接又は密接させているため、導光板に内部応力が発生し、変形などの不具合が発生する可能性がある。
【００２６】
本発明は上述のような事情に鑑みてなされたものであり、バックライトシャーシに導光板、ＬＥＤ光源を固定する構造であって、ＬＥＤ光源に対する導光板の位置を精度よく位置決めすることが可能な構造を備える表示装置を提供することを目的とする。
【００２７】
本発明は、表示パネルと、表示パネルを照射する導光板と、該導光板を保持する保持体と、導光板を保持体に固定する固定部材と、表示パネルの表面周縁部を覆う枠体とを備えた表示装置及び該表示装置を備えたテレビジョン受信機に関する。
【００２８】
近年、表示装置の薄型化、軽量化、狭額縁化が行われている。これらを実現するものとして、特許文献５には、エッジライト方式の液晶表示装置において、バックライトシャーシを箱形状として、バックライトシャーシに反射シート、導光板、光学シート、表示パネルを順に積み上げて、前側フレームとバックライトシャーシで挟むことにより固定した表示装置が記載されている。従来の表示装置が備えていたバックライトシャーシの背面及び側面を覆う樹脂製のリアキャビネットが廃されているため、前後方向の厚さが低減され薄型が実現される。また、高さ方向、横方向の寸法が概ね表示パネル寸法に準じた値となり、狭額縁化が実現される。
【００２９】
特許文献５に記載されているような表示装置では、表示パネルは他の部材と共に前側フレームとバックライトシャーシとにより前後から挟まれることにより固定されている。表示パネルの固定にビスは用いられていない。また、狭額縁化を実現するために、前側フレームやバックライトシャーシに表示パネルを固定、保持するための規制体を設ける十分なスペースは確保できない。そのため、表示パネルの位置ずれを十分に防止できない。
【００３０】
本発明は上述のような事情に鑑みてなされたものであり、ビスを用いずに表示パネルを固定する表示装置において、表示パネルの位置ずれを防止した表示装置及び該表示装置を備えたテレビジョン受信機を提供することを目的とする。
【００３１】
本発明は、エッジライト方式のバックライトを有する表示装置、及びテレビジョン受信機に関する。
【００３２】
液晶表示装置は、薄型、低消費電力を特徴とし、近年、その表示品位の向上により、従来のＣＲＴに代わるディスプレイとして普及しており、テレビジョン受信機（以下、ＴＶ受信機という）の画像表示装置としても幅広く用いられている。液晶表示装置は、自己発光型のデバイスとは異なり、光源としてのバックライトを必要とし、液晶の電気光学特性により決定される光透過率を制御して画像を表示する。
【００３３】
バックライトにはエッジライト方式（サイドライト方式、導光板方式）と直下型方式とがある。
エッジライト型のバックライトを有する液晶表示装置としては、薄型、軽量、狭額縁化を実現するために、矩形箱状のシャーシに、導光板、光学シート、及びＬＥＤ基板を収納してなるバックライトユニットを液晶表示パネル（以下、表示パネルという）の背面に配した表示モジュールをフレームで覆ったものが挙げられる。ＬＥＤ基板は、細長い基板の平面に、複数のＬＥＤを実装してなる。バックライトユニットが片側のエッジライト型である場合、ＬＥＤ基板は、矩形板状の導光板の一方の長側面に配される。ＬＥＤから発光し、導光板の長側面に入射した光は導光板の主面から出射して、液晶表示パネルの背面を照射する。
【００３４】
上述のように構成されているので、液晶表示装置の厚みは表示パネルの光学部材の厚みの合計に略等しくなり、薄型及び狭額縁化が実現されているが、ビス固定のためのスペースを十分に取ることができないという問題がある。また、ビスの脚部が光学部品等と干渉するという観点からも、ビス固定部を多く取ることができない。しかし、ネジ留めを行うことなく、全てを組み構造、及び接着で行うことは信頼性及びサービスの面で問題が多い。
【００３５】
そして、ＬＥＤ基板をシャーシの側板にネジ留めする場合、ＬＥＤ間にネジ頭が差し掛かると、この部分のＬＥＤ間の間隔は他のＬＥＤ間の間隔より大きく取ることになり、光ムラが生じないようにするために、導光板の主面から放射される光の強度が均一になるように主面に施すドットパターンを前記間隔の変化に対応させて調整していた。この調整は厳密性を有し、煩雑であるが、ネジ留めを行うことなく、両面テープ等による接着では長期信頼性に問題がある。
【００３６】
そして、液晶表示装置においては、ＬＥＤ基板から生じる熱を効率良く放熱することが求められている。
【００３７】
特許文献６には、蛍光管を支持するバックライトシャーシの背面に円筒ボスを設け、円筒ボスと、リアキャビネットに設けた放熱板とをビス留めすることにより、蛍光管にて発生した熱を、バックライトシャーシ及び円筒ボスを介して放熱板に伝導するように構成された表示装置の発明が開示されている。
【００３８】
特許文献６の場合、放熱板、円筒ボス、及び放熱板の固定のためのビスを要し、部品点数が多くなるという問題があり、また、円筒ボスの設置により表示装置の厚みが厚くなるという問題があった。
【００３９】
本発明は斯かる事情に鑑みてなされたものであり、簡単な構成で確実に、発光素子実装基板をシャーシに固定し、かつシャーシにフレームを固定することができ、薄型化及び挟額縁化を実現でき、しかも発光素子の間隔を変える必要がなく、発光素子実装基板からの熱を良好に放熱することができる表示装置、及び該表示装置を備えるＴＶ受信機を提供することを目的とする。 
【課題を解決するための手段】
【００４０】
本発明に係る表示装置は、表面に画像を表示する表示パネルと、該表示パネルの裏面側に配され、光を拡散させ前記表示パネルに入射させる光学シートと、前記表示パネルの裏面及び側面を保持し、箱体状をなす保持体と、前記光学シートの側面及び前記保持体の側面との間に介在する側板部、及び前記表示パネルの表面と平行な表板部を有し、前記光学シートの面方向の位置決めを行う位置決め部材とを備えた表示装置において、前記光学シートの辺縁部には面方向に突出する位置決めのための凸部が設けてあり、該表板部には前記凸部が緩挿される切り欠きが設けてあることを特徴とする。
【００４１】
本発明にあっては、光学シートの辺縁部には面方向に突出する位置決めのための凸部が設けてあり、表板部には凸部が緩挿される切り欠きが設けてあるので、光学シートに設けてある凸部が表板部に設けてある切り欠きに緩挿することにより、光学シートを位置決めすることが可能となる。
【００４２】
本発明に係る表示装置は、前記光学シートは平面視矩形状としてあり、前記凸部は前記光学シートの辺縁部の相対向する２辺それぞれに設けてあることを特徴とする。
【００４３】
本発明にあっては、前記光学シートの辺縁部の相対向する２辺それぞれに凸部を設けてあるので、２つの凸部を結ぶ線に略垂直な面方向の光学シートの動きを規制することが可能となる。
【００４４】
本発明に係る表示装置は、前記凸部は前記光学シートの辺縁部の他２辺のいずれか１辺に、さらに１つ設けてあることを特徴とする。
【００４５】
本発明にあっては、光学シートの辺縁部の他２辺のいずれか１辺に、さらに１つ凸部を設けることにより該凸部の突出方向と略垂直な面方向の光学シートの動きを規制することが可能となる。
【００４６】
本発明に係る表示装置は、前記表示パネルに光を供給する発光素子と、該発光素子の光を側面から入射させ前記表示パネルの裏面方向へ出射して前記表示パネルを照射する導光板とを備え、該導光板は前記表示パネルと前記光学シートとの間に配してあり、前記導光板の外周部には嵌合凸部が設けてあり、前記側板部には前記嵌合凸部と嵌合し、前記導光板の位置決めする嵌合凹部が設けてあることを特徴する。
【００４７】
本発明にあっては、導光板の外周部には嵌合凸部が設けてあり、側板部には嵌合凸部と嵌合し、導光板の位置決めする嵌合凹部が設けてあるので、嵌合凸部と嵌合凹部とが嵌合することにより、導光板の位置決めがされる。
【００４８】
本発明に係る表示装置は、前記位置決め部材は前記導光板の表面及び側面を覆うようにしてあり、前記導光板から漏れた光を遮光するようにしてあることを特徴とする。
【００４９】
本発明にあっては、位置決め部材は導光板の表面及び側面を覆うようにしてあるので、導光板から漏れた光を遮光する。
【００５０】
本発明に係るテレビジョン受信機は、上記のいずれか一つに記載の表示装置と、テレビジョン放送を受信する受信部とを備え、前記受信部にて受信したテレビジョン放送に基づいて、前記表示装置に映像を表示するようにしてあることを特徴とする。 
【００５１】
本発明に係る液晶表示装置は、液晶パネルの背面に配された導光板と、該導光板の側面側に配置された光源基板と、前記導光板及び光源基板を収容する収容体と、前記液晶パネルの正面周縁部分及び前記収容体の背面を覆う外装部品とを備える液晶表示装置において、前記収容体及び前記外装部品の間に介在し、前記光源又は前記導光板から外部へ漏出する光を遮蔽する遮光部材を備え、該遮光部材は、前記外装部品との当接面を有し、該当接面に窪みが形成してあることを特徴とする。
【００５２】
また、本発明に係る液晶表示装置は、前記遮光部材の前記当接面が、櫛形状又は格子形状であることを特徴とする。
【００５３】
また、本発明に係る液晶表示装置は、前記収容体が、前記導光板の背面を覆う背面部と、該背面部の周囲に設けられた周壁部とを有し、前記光源基板は、前記周壁部の内側に当接して前記収容体に収容してあり、前記遮光部材は、前記周壁部の外側に当接する第１の部分と、該第１の部分に対して屈曲又は湾曲して設けられ、前記導光板の正面周縁部分に当接する第２の部分とを有し、前記第１の部分は、前記周壁部に当接する側の反対側を前記外装部品との当接面としてあることを特徴とする。
【００５４】
また、本発明に係る液晶表示装置は、前記遮光部材の熱伝導率が、前記収容体及び前記外装部品の熱伝導率より小さいことを特徴とする。
【００５５】
また、本発明に係る液晶表示装置は、前記遮光部材が、合成樹脂による一体成型品であり、前記収容体及び前記外装部品は、金属製であることを特徴とする。
【００５６】
またテレビジョン受信機は、テレビジョン放送を受信するチューナ部と、上述の液晶表示装置とを備え、前記チューナ部が受信したテレビジョン放送に係る画像を前記液晶表示装置の前記液晶パネルに表示するようにしてあることを特徴とする。
【００５７】
本発明にあっては、液晶パネルの背面に導光板を配し、導光板の側面側に光源基板を配し、導光板及び光源基板を収容体に収容し、液晶パネル及び収容体を液晶表示装置の筐体などを構成するための外装部品で被覆する。この構成は、いわゆるエッジライト方式の液晶表示装置の構成である。この構成において液晶表示装置は、収容体及び外装部品の間に介在する遮光部材を備え、光源又は導光板から外部へ漏出する光を遮蔽する。
光源基板から収容体へ伝わった熱は、収容体から遮光部材に伝わり、遮光部材から外装部品へ伝わる。ここで遮光部材には、外装部品との当接面に窪みを形成する。窪みにより当接面の面積が小さくなるため、遮光部材から外装部品へ伝わる熱を低減することができる。この窪みの大きさなどを適宜に設定することによって、遮光部材と外装部品との当接面積を適宜に調整することができ、遮光部材から外装部品へ伝わる熱量を調整することができる。
【００５８】
また、本発明にあっては、窪みを形成することによって、遮光部材の外装部品との当接面を櫛形状又は格子形状とする。例えば遮光部材を合成樹脂の一体成型にて製造する場合、合成樹脂を流し込む金型を用いて製造が行われる。遮光部材の窪みに相当する金型の突起部分を削り取るなどの加工を行うことで、遮光部材の当接面の面積を調整できる。当接面を櫛形状又は格子形状とする金型では、このような調整加工を容易に行うことができる。
【００５９】
また、本発明にあっては、背面部及び周壁部を有する収容体に、光源基板を周壁部の内側に当接させて収容する。遮光部材は、収容体の周壁部の外側に当接する第１の部分と、これに対して屈曲又は湾曲する態様で設けられた第２の部分とを有する構成とする。遮光部材の第１の部分は、収容体に当接する側の反対側を外装部品の当接面とし、上記のような窪みを形成する。遮光部材の第２の部分は、導光板の周縁部に当接して、導光板及び収容体の隙間から洩れる光を遮蔽する。
このような構成とすることにより、液晶表示装置の側面側への放熱量を適宜に調整することができる。
【００６０】
また、本発明にあっては、遮光部材はその熱伝導率が、収容体及び外装部品の熱伝導率より小さい材料で構成する。例えば遮光部材を合成樹脂の一体成型品とし、収容体及び外装部品を金属製とすることができる。遮光部材の熱伝導率を小さくすることによって、遮光部材の外装部品との当接面を広くすることが可能となる。
【００６１】
本発明に係る液晶表示装置は、液晶パネルの背面に配された一又は複数の光学シートと、該光学シートの背面に配された導光板と、該導光板の側面側に配置された光源基板と、前記導光板及び光源基板を収容する収容体と、前記液晶パネルの正面周縁部分及び前記収容体の背面を覆う外装部品とを備える液晶表示装置において、前記収容体は、前記導光板の背面を覆う背面部と、該背面部の周囲に設けられた周壁部とを有し、前記導光板の正面周縁部分及び前記収容体の前記周壁部に当接し、前記光源又は前記導光板から外部へ漏出する光を遮蔽する遮光部材を備え、前記外装部品は、前記液晶パネル及び前記収容体を挟み込むようにしてあり、前記外装部品の装着により前記遮光部材が前記導光板を背面側へ押圧するようにしてあることを特徴とする。
【００６２】
また、本発明に係る液晶表示装置は、前記遮光部材が、前記液晶パネルの背面周縁部分に当接するパネル当接面と、該パネル当接面に沿う方向に対する前記液晶パネルの位置を定める位置決め突部とを有することを特徴とする。
【００６３】
また、本発明に係る液晶表示装置は、前記パネル当接面が、平坦面であり、前記位置決め突部には、傾斜面が形成してあることを特徴とする。
【００６４】
また、本発明に係る液晶表示装置は、前記周壁部は四角枠状をなし、前記光源基板は、前記周壁部の一辺の内側に当接して前記収容体に収容してあり、前記遮光部材は、前記一辺にて前記周壁部の外面に当接し、他の辺にて前記周壁部の内面に当接するようにしてあることを特徴とする。
【００６５】
また、本発明に係る液晶表示装置は、前記遮光部材が枠状をなし、前記光学シートは、前記遮光部材の内側に配置され、前記光学シートに延出して設けられた一又は複数の延出部と、前記遮光部材に形成され、前記延出部を収容して前記光学シートの位置を定める一又は複数の位置決め凹部とを備えることを特徴とする。
【００６６】
またテレビジョン受信機は、テレビジョン放送を受信するチューナ部と、上述の液晶表示装置とを備え、前記チューナ部が受信したテレビジョン放送に係る画像を前記液晶表示装置の前記液晶パネルに表示するようにしてあることを特徴とする。
【００６７】
本発明にあっては、液晶パネルの背面に光学シートを配し、光学シートの背面に導光板を配する。即ち液晶パネル、光学シート及び導光板をこの順で積層する。また導光板の側面側に光源基板を配し、導光板及び光源基板を収容体に収容し、液晶パネル及び収容体を液晶表示装置の筐体などを構成するための外装部品で被覆する。この構成は、いわゆるエッジライト方式の液晶表示装置の構成である。この構成において液晶表示装置は、導光板の正面周縁部分及び収容体の周壁部に当接する遮光部材により、光源又は導光板から外部へ漏出する光を遮蔽する。
また外装部品は液晶パネル及び収容体を挟み込んで装着され、外装部品の装着によって遮光部材が導光板を背面側へ押圧する構成とする。これにより、導光板が強固に固定され、位置ずれなどが生じることを防止できる。
【００６８】
また、本発明にあっては、遮光部材が液晶パネルの背面周縁部分に当接するパネル当接面を有する。遮光部材は、導光板の正面周縁部分と液晶パネルの背面周縁部分とに当接する構成であり、即ち導光板と液晶パネルとの間に介在して設けられる構成である。また遮光部材は、パネル当接面に対する液晶パネルの当接位置を定める位置決め突部を設ける。これにより、液晶パネルの位置決めを容易化且つ高精度化できる。
【００６９】
また、本発明にあっては、遮光部材のパネル当接面を平坦面とし、位置決め突起に傾斜面を形成する。液晶パネルを傾斜面に沿ってパネル当接面へ移動することで位置決めを行うことができる。
【００７０】
また、本発明にあっては、収容体は背面部を略矩形とし、周壁部を四角枠状とする。光源基板は、液晶表示装置を設置した場合の下側に相当する周壁部の一辺の内側に当接させて収容体に収容する。遮光部材は、光源基板が配された周壁部の一辺にて周壁部の外側に当接し、他の辺にて周壁部の内側に当接する構成とする。これにより、光源基板に搭載された光源が発する光が外部へ漏出することを遮光部材により遮蔽することができる。また光源基板が搭載されていない辺については、狭額縁化することができる。なお遮光部材は、一体的に成型された一つの部品であってもよく、例えば各辺で分割された複数の部品にて構成されるものであってよい。
【００７１】
また、本発明にあっては、遮光部材及び光学シートは共に導光板の正面側に配される。そこで遮光部材を枠状として導光板の正面周縁部分に当接させると共に、遮光部材の内側に光学シートを配置する。この構成において、光学シートには一又は複数の延出部を設け、遮光部材にはこの延出部を収容して光学シートの位置を定める位置決め凹部を形成する。これにより、液晶表示装置の組み立てなどの際に、光学シートの位置決めを容易に行うことができる。
【００７２】
本発明に係る表示装置は、表側に画像を表示する表示パネルと、発光素子が実装してある矩形状基板と、前記表示パネルの裏側に配され、前記発光素子と対向する側面から入射した光を前記表示パネルの裏側方向へ出射して前記表示パネルを照射する導光板と、前記導光板の周縁部を保持する保持体と、前記導光板を前記保持体に固定する固定部材とを備えた表示装置であって、前記矩形状基板の前記発光素子実装面の長手方向端部には、前記導光板に向けて突出し、前記発光素子に対する前記導光板の位置を決めるための位置決め部材が設けてあり、前記導光板の前記発光素子に対向する端面は前記位置決め部材先端面と当接するようしてあることを特徴とする。
【００７３】
本発明にあっては、発光素子が取り付けてある短冊状基板の端部一面に凸部を設けてあり、導光板の発光素子と対向する側面の端部を、凸部と当接するように前記導光板の位置決めを行うようにしてあるから、導光板に側面と発光素子との間隔を所定の間隔を保ったまま容易に固定することが可能である。
【００７４】
本発明に係る表示装置は、前記位置決め部材は両面テープにて前記矩形状基板に貼付してあることを特徴とする。
【００７５】
本発明にあっては、直方体状の凸部を両面テープにて基板に貼付してあるので、容易に凸部を設けることが可能となる。
【００７６】
本発明に係る表示装置は、前記位置決め部材は樹脂により形成してあることを特徴とする。
【００７７】
本発明にあっては、位置決め部材を樹脂としたので、位置決め部材を容易に成形することが可能であり、形状の変更も容易に行うことが可能である。
【００７８】
本発明に係る表示装置は、前記位置決め部材は電子部品であり、前記矩形状基板に実装してあることを特徴とする。
【００７９】
本発明にあっては、位置決め部材を電子部品としたことで、実装機により矩形状基板に実装できるので、精度よく位置決め部材を矩形基板に実装することが可能となる。
【００８０】
本発明に係る表示装置は、前記発光素子はＬＥＤであることを特徴とする。
【００８１】
本発明にあっては、発光素子をＬＥＤとしたので、従来の冷陰極管と比較して少ない電力で高輝度な光を得ることが可能となる。
【００８２】
本発明に係るテレビジョン受信機は、上記のいずれか一つに記載の表示装置と、テレビジョン放送を受信する受信部とを備え、前記受信部にて受信したテレビジョン放送に基づいて、前記表示装置に映像を表示するようにしてあることを特徴とする。
【００８３】
本発明に係る表示装置は、表面に画像を表示する表示パネルと、該表示パネルの裏面側に配され、発光素子と対向する側面から入射した光を前記表示パネルの裏面側へ出射して前記表示パネルを照射する導光板と、該導光板の裏面及び周面を保持する保持体と、前記導光板の表面周縁部を覆い、前記導光板を前記保持体に固定し、前記表示パネルの裏面周縁の一部に接する固定部材と、前記表示パネルの表面周縁部を覆う枠体とを備えた表示装置において、前記固定部材は前記導光板の表側周縁部を覆う板状部を有し、該板状部は前記表示パネルの裏面周縁部が接する周縁接触部、該周縁接触部と連なり、前記表示パネルの表面と略面一で、前記枠体に当接する枠体当接部を含み、前記表示パネル周面と前記枠体当接部は離隔しており、前記枠体当接部の側面、周縁接触部の一部分及び前記表示パネルの周面により溝が形成されるようにしてあり、前記枠体には、前記溝に嵌入し前記表示パネルの面方向の位置ずれを防止する凸部が設けてあることを特徴とする。
【００８４】
本発明にあっては、枠体当接部の側面、周縁接触部の一部分及び表示パネルの周面により溝が形成されるようにしてあり、枠体には、溝に嵌入し表示パネルの面方向の位置ずれを防止する位置ずれ防止凸部が設けてあるので、表示パネルの位置ずれを防止することが可能となる。
【００８５】
本発明に係る表示装置は、前記凸部は前記枠体から前記表示パネルの表面方向に突出するようにしてあることを特徴とする。
【００８６】
本発明に係る表示装置は、前記枠体当接部には前記表示パネルの周面方向に延びる凸状が設けてあり、該凸状の先端を面取りしてあることを特徴とする。
【００８７】
本発明にあっては、枠体当接部に設けた表示パネルの周面方向に伸びる凸状は先端を面取りしてあるので、枠体に表示パネルを載せる際、容易に位置決めすることが可能となる。
【００８８】
本発明に係るテレビジョン受信機は、上記に記載のいずれか一つの表示装置と、テレビジョン放送を受信する受信部とを備え、前記受信部にて受信したテレビジョン放送に基づいて、前記表示装置に映像を表示するようにしてあることを特徴とする。
【００８９】
本発明に係る表示装置は、複数の発光素子を実装した基板と、側板に前記基板が取り付けられる箱体と、前記発光素子から発光された光が照射される表示パネルと、該箱体の前記側板を含む部分、及び前記表示パネルの端縁部を覆うフレームとを備える表示装置において、前記箱体の側板を介し、前記基板と前記フレームの前記側板に対向する部分とを螺合してあることを特徴とする。
【００９０】
本発明においては、箱体の側板を介し、発光素子実装基板とフレームの側板に対向する部分とを螺合するので、基板の箱体への固定と、フレームの箱体への固定とを容易に同時に行うことができる。そして、基板がフレームに連結されているので、バックライトシャーシを、フレームに取り付けた放熱板に連結する特許文献６の表示装置と比較して、放熱の効率が向上している。部品点数の増加もなく、ボスも不要であり、フレームの箱体への固定のためのスペースを小さくすることができ、表示装置の薄型化及び狭額縁化を実現することができる。
【００９１】
本発明に係る表示装置は、前記基板に雌ネジを設けてあることを特徴とする。
【００９２】
本発明においては、基板に雌ネジが設けられているので、ネジ頭が基板に配される場合と異なり、ネジが発光素子の基板上の間隔に干渉することがなく、発光素子の間隔を均一にすることができ、導光板のドットパターン等を調整する必要がない。
【００９３】
本発明に係る表示装置は、前記発光素子からの光を側面から入射して主面から出射する導光板を前記箱体に収容し、前記主面に対向して前記表示パネルを縦姿勢で配してあり、前記フレームは、前記箱体の底板の一部、及び前記表示パネルの下端縁部を覆うように構成されていることを特徴とする。
【００９４】
本発明においては、フレームがコの字状をなし、箱体を含む表示モジュールの正面下端部、底面、及び背面下端部を一度に覆うので、薄型化、及び狭額縁化をより進めることができる。
【００９５】
本発明に係る表示装置は、前記導光板の端縁部を前記底板とで挟持し、かつ前記側板を覆う保持体を備え、該保持体及び前記側板を介し、前記基板と前記フレームの前記側板に対向する部分とを螺合してあることを特徴とする。
【００９６】
本発明においては、保持体により、導光板を保持し、基板から発光される光のフレーム側への放射を遮蔽するとともに、基板とフレームとの間に介在することで、基板からフレームへの放熱量を調整することができる。
【００９７】
本発明に係るテレビジョン受信機は、前述の表示装置と、テレビジョン放送を受信する受信部とを備え、前記受信部にて受信したテレビジョン放送に基づいて、前記表示装置に映像を表示するようにしてあることを特徴とする。
【００９８】
本発明においては、前述の表示装置を備えるので、薄型化、及び狭額縁化が図られる。
【００９９】
本発明に係る表示装置は、基板とフレームとを同一の材料から構成することにしてもよい。
この場合、熱膨張時の歪みが発生しない。
材料としては、例えばアルミニウムが挙げられる。
【発明の効果】
【０１００】
本発明にあっては、導光板、光学シート等を精度よく位置決めし、モールド加工やビス止めをすることなく、バックライトシャーシに固定することが可能となる。
【０１０１】
本発明による場合は、収容体及び外装部品の間に介在する遮光部材に、外装部品との当接面に窪みを形成することによって、遮光部材から外装部品へ伝わる熱を低減することができる。この窪みの大きさなどを適宜に設定することによって、遮光部材から外装部品へ伝わる熱量を調整することができる。よって液晶表示装置は、光源が発した熱を適度に外部へ放熱することができると共に、ユーザが接触する可能性がある箇所の温度上昇を抑制することができる。
【０１０２】
本発明による場合は、液晶パネル、光学シート及び導光板を積層し、導光板の側面側に光源基板を配し、これらを収容体に収容するエッジライト方式の液晶表示装置の構成とする。また導光板の正面周縁部分及び収容体の周壁部に当接する遮光部材を備え、光源又は導光板から外部へ漏出する光を遮光部材にて遮蔽する。この構成により、液晶表示装置の薄型化及び狭額縁化等を実現して、光源又は導光板等からの光が外部へ漏出することを防止できる。
【０１０３】
本発明にあっては、導光板の側面と発光素子との間隔を所定の間隔を保ったまま容易に導光板をバックライトシャーシに固定することが可能となる。
【０１０４】
本発明にあっては、枠体当接部の側面、周縁接触部の一部分及び表示パネルの周面により溝が形成されるようにしてあり、枠体には、溝に嵌入し表示パネルの面方向の位置ずれを防止する凸部が設けてあるので、表示パネルの位置ずれを防止することが可能となる。
【０１０５】
本発明によれば、箱体の側板を介し、発光素子実装基板とフレームの側板に対向する部分とを螺合するので、基板の箱体への固定と、フレームの箱体への固定とを容易に同時に行うことができる。そして、基板がフレームに連結されているので、放熱の効率が良好である。部品点数の増加もなく、ボスも不要であり、フレームの箱体への固定のためのスペースを小さくすることができ、表示装置の薄型化及び狭額縁化を実現することができる。
【図面の簡単な説明】
【０１０６】
【図１】テレビジョン受信機の外観斜視図である。
【図２】テレビジョン受信機の主要部の分解斜視図である。
【図３】テレビジョン受信機の主要部の部分分解斜視図である。
【図４】光学部材ホルダの右側ホルダの部分拡大斜視図である。
【図５】光学部材ホルダの右側ホルダの部分拡大斜視図である。
【図６】導光板、光学シートを積層した状態を示す斜視図である。
【図７】バックライトシャーシに右側ホルダを取り付けた状態を示す斜視図である。
【図８】バックライトシャーシ、光学部材ホルダの部分斜視図である。
【図９】図１のＩＸ−ＩＸ線による部分断面図である。
【図１０】本実施の形態に係る液晶表示装置の構成を示す分解斜視図である。
【図１１】本実施の形態に係る液晶表示装置の構成を示す一部拡大断面図である。
【図１２】遮光部材の構成を示す斜視図である。
【図１３】遮光部材の一部拡大斜視図である。
【図１４】遮光部材の当接面の変形例を示す模式図である。
【図１５】変形例に係るテレビジョン受信機の構成を示すブロック図である。
【図１６】本実施の形態に係る液晶表示装置の構成を示す分解斜視図である。
【図１７】本実施の形態に係る液晶表示装置の構成を示す一部拡大断面図である。
【図１８】本実施の形態に係る液晶表示装置の構成を示す一部拡大断面図である。
【図１９】光学シート及び遮光部材の構成を示す拡大斜視図である。
【図２０】変形例に係るテレビジョン受信機の構成を示すブロック図である。
【図２１】テレビジョン受信機の外観斜視図である。
【図２２】テレビジョン受信機の主要部の分解斜視図である。
【図２３】ＬＥＤ基板の平面図である。
【図２４】ＬＥＤ基板が取り付けられている態様を示す斜視図である。
【図２５】スペーサにより位置決めされた導光板の態様を示す平面図である。
【図２６】導光板の固定方法を説明するための部分斜視図である。
【図２７】導光板に設けた下凸部により位置決めされた導光板の態様を示す平面図である。
【図２８】テレビジョン受信機の外観斜視図である。
【図２９】テレビジョン受信機の主要部の分解斜視図である。
【図３０】下側ホルダの部分斜視図である。
【図３１】液晶パネルの部分斜視図である。
【図３２】光学部材ホルダ上に液晶パネルが載せられた状態を示す部分斜視図である。
【図３３】図２８のＶＩ−ＶＩ線による部分断面図である。
【図３４】図２８のＶＩＩ−ＶＩＩ線による部分断面図である。
【図３５】本発明の実施の形態に係るＴＶ受信機を示す斜視図である。
【図３６】本発明の実施の形態に係るＴＶ受信機のスタンドを除いた部分を示す拡大斜視図である。
【図３７】本発明の実施の形態に係るＴＶ受信機を示す背面図である。
【図３８】本発明の実施の形態に係るＴＶ受信機を左側から見た状態を示す一部側面図である。
【図３９】本発明の実施の形態に係るＴＶ受信機を左側から見た状態を示す一部断面図である。
【図４０】本発明の実施の形態に係るＬＥＤ基板を示す平面図である。
【図４１】本発明の実施の形態に係る表示装置を示す分解斜視図である。
【発明を実施するための形態】
【０１０７】
（実施の形態１）
以下に、本発明の実施の形態に係る表示装置を、テレビジョン受信機を例として説明する。図１はテレビジョン受信機の外観斜視図である。図２はテレビジョン受信機の主要部の分解斜視図である。テレビジョン受信機は、バックライトシャーシ１（保持体）、ＬＥＤ（Light Emitting Diode）基板２、反射シート３、導光板４、光学シート５、光学部材ホルダ６（位置決め部材）、液晶パネル７（表示パネル）、パネルカバー８、フレーム９、チューナ基板１０、電源基板１１を含む。
【０１０８】
以下の説明においては、テレビジョン受信機の液晶パネル７が設けられた側を前側または単に前と呼ぶこととする。前側の反対側を後ろ側または単に後ろと呼ぶこととする。液晶パネル７に向かって左を左側または単に左と呼ぶこととする。液晶パネル７に向かって右を右側または単に右と呼ぶこととする。テレビジョン受信機を縦姿勢とした場合に、液晶パネル７の上方向を上側または単に上と呼ぶこととする。同様に、液晶パネル７の下方向を下側または単に下と呼ぶこととする。
また、テレビジョン受信機の各構成要素の説明においては、特に記載がない限り、各構成要素がテレビジョン受信機に組み付けられた状態での方向を記述する。
【０１０９】
バックライトシャーシ１は一面が開口部としてある浅底の箱状である。バックライトシャーシ１はテレビジョン受信機の筐体の一部となるものである。バックライトシャーシ１は強度を確保するために金属、例えば鋼板により形成する。バックライトシャーシ１はプレス成形により成形される。強度が確保できるのであれば、バックライトシャーシ１はアルミなどの軽金属で形成しても良い。
【０１１０】
ＬＥＤ基板２は平板矩形であって、細長い形状の基板（矩形状基板）である。ＬＥＤ基板２には発光素子としてＬＥＤが実装されている。ＬＥＤが発する熱を効率的に放散させるために、ＬＥＤ基板はアルミニウムにて形成してある。ＬＥＤ基板２は左右対称の２枚から構成されている。
【０１１１】
導光板４はバックライトシャーシ１よりやや小さい矩形板状である。導光板４はアクリル樹脂、ポリカーボネート樹脂、メタクリル樹脂、環状ポリオレフィン等の合成樹脂製である。
【０１１２】
反射シート３は導光板４と平面視が略同形である。反射シート３は合成樹脂シートである。反射シート３は入射した光を全反射する機能を持つものである。光学シート５は複数のシートからなる。光学シート５を構成する複数のシートは拡散シート、反射偏光シート、レンズシート等である。光学シート５は合成樹脂シートである。光学シート５はこれら複数のシートが積層された積層体である。
【０１１３】
光学部材ホルダ６は額縁状である。光学部材ホルダ６は断面略Ｌ字状の４つの棒状部材から構成してある。光学部材ホルダ６を構成する４つの棒状部材は左側ホルダ６１、右側ホルダ６２、上側ホルダ６３、下側ホルダ６４である。光学部材ホルダ６を構成する各部材はポリカーボネート、ポリアセタール、ポリアミドなどのエンジニアリングプラスチックにて形成される。
【０１１４】
液晶パネル７は略直方体状をなし、前側（表側）に画像を表示する。パネルカバー８は矩形枠状の部材である。パネルカバー８は液晶パネル７の周縁部を覆う。液晶パネル７はパネルカバー８を介在してフレーム９により固定される。
【０１１５】
フレーム９は断面Ｕ字状またはコの字状の細長い棒状部材４本から構成されている。フレーム９を構成する部材は左フレーム９１、右フレーム９２、上フレーム９３、下フレーム９４である。左フレーム９１はテレビジョン受信機の左側面を覆う。右フレーム９２はテレビジョン受信機の右側面を覆う。上フレーム９３はテレビジョン受信機の上側を覆う。下フレーム９４はテレビジョン受信機の下側を覆う。各フレームの対向する二面の間にテレビジョン受信機の各構成が挟み込まれ固定される。
【０１１６】
チューナ基板１０は、テレビジョン放送を受信し、放送信号を取り出す。チューナ基板１０により取り出された放送信号に基づき、液晶パネル７に画像が表示される。電源基板１１は、所定電圧の電力をテレビジョン受信機の各部に供給する。チューナ基板１０、電源基板１１はバックライトシャーシ１の後面外側にビスで固定されている。バックライトシャーシ１に固定されたチューナ基板１０、電源基板１１は保護のため、基板カバー（図示しない）で覆われている。
【０１１７】
以上のような構成のテレビジョン受信機は次のようにして組み立てられる。バックライトシャーシ１下側の後ろ側から前側に伸びている板状部分にＬＥＤ基板２を固定する。バックライトシャーシ１の箱状底板部分に反射シート３を載せる。反射シート３の上に、導光板４を載せる。導光板４は下側端面とＬＥＤ基板２のＬＥＤ実装面とが所定の間隔を保つように位置決めされる。導光板４の上に光学シート５を載せる。光学部材ホルダ６をバックライトシャーシ１に固定する。光学部材ホルダ６が固定されることにより、導光板４の位置決め、固定がされる。光学部材ホルダ６が固定されることにより、光学シート５の位置決めがされる。
【０１１８】
光学シート５、光学部材ホルダ６の上に液晶パネル７を載せる。さらに、液晶パネル７の周縁部を覆うパネルカバー８を載せる。フレーム９により、バックライトシャーシ１からパネルカバー８までの積層された部材が挟まれ、固定される。
【０１１９】
以上のように構成されたテレビジョン受信機において、ＬＥＤが発した光は、導光板４の側縁から入る。導光板４の後ろ側には反射シート３があるため、導光板４の後ろ側方向に進んだ光は反射シート３に反射される。反射シート３で反射した光が、液晶パネル７を後ろ側から照射する。液晶パネル７が制御され、液晶パネル７の前側に画像が表示される。
【０１２０】
光学部材ホルダ６は３つの役割を担っている。光学部材ホルダ６の第一の役割は反射シート３、導光板４、光学シート５、液晶パネル７の位置決めを行うことである。光学部材ホルダ６の第二の役割は導光板４の固定を行うことである。光学部材ホルダ６の第三の役割はＬＥＤの光が導光板４から外部に漏れないように遮光することである。
【０１２１】
図３はテレビジョン受信機の主要部の部分分解斜視図である。テレビジョン受信機の右下角を記載している。説明を簡単にするため、バックライトシャーシ１、導光板４、光学シート５、光学部材ホルダ６のみを記載している。バックライト１の上に反射シート（図示しない）、導光板４、光学シート５の順で積層される。
【０１２２】
図４及び図５は光学部材ホルダ６の右側ホルダ６２の部分拡大斜視図である。図４は前側から見た図である。図５は後ろ側から見た図である。光学部材ホルダ６の右側ホルダ６２は断面Ｌ字の棒状部材である。右側ホルダ６２はテレビジョン受信機の側面と平行で長手方向に延びる側板部６２１と、テレビジョン受信機の表示面と平行で長手方向に延びる表板部６２２を有する。側板部６２１は矩形を切り欠いた形状の凹部６２ａ（嵌合凹部）が形成されている。表板部６２２にも同様に矩形を切り欠いた形状の凹部６２ｂ（切り欠き）が形成されている。
【０１２３】
図６は導光板４、光学シート５を積層した状態を示す斜視図である。バックライトシャーシ１上に、反射シート３、導光板４、光学シート５の順に積層している。図７はバックライトシャーシ１に右側ホルダ６２を取り付けた状態を示す斜視図である。
【０１２４】
導光板４の外周部には嵌合凸部４１が設けられている。嵌合凸部４１は直方体状をなしている。嵌合凸部４１は導光板４の側面より突出するように設けてある。嵌合凸部４１は互いに左右対称の２箇所に設けてある。嵌合凸部４１の上下方向の位置は、導光板４の下面よりやや上側の位置としてある。
【０１２５】
光学シート５の辺縁部には凸部５１ａが設けられている。凸部５１ａは平面視矩形状である。凸部５１ａは光学シート５の広面方向に突出するように設けてある。凸部５１ａは互いに左右対称の２箇所に設けてある。凸部５１ａの上下方向の位置は、光学シート５の下辺よりもやや上側の位置としてある。
【０１２６】
導光板４の嵌合凸部４１を平面視した場合の矩形は光学シート５の凸部５１ａを平面視した場合の矩形よりも大きくしてある。嵌合凸部４１、凸部５１ａは導光板４と光学シート５が積層された場合には、重なるような位置に設けてある。
【０１２７】
右側ホルダ６２がバックライトシャーシ１に固定されると、凹部６２ａが導光板４に設けてある嵌合凸部４１と嵌合する。それにより、導光板４の上下方向の動きが、右側ホルダ６２の凹部６２ａにより、規制される。また表板部６２２により、導光板４が押さえられる。この構造と左右対称な構造が、テレビジョン受信機の左側にも設けられている。
【０１２８】
光学シート５の凸部５１ａは右側ホルダの凹部６２ｂに緩装する。それにより、光学シート５の上下方向の動きが右側ホルダ６２の凹部６２ｂにより規制される。この構造と左右対称な構造が、テレビジョン受信機の左側にも設けられている。また同様な構造がテレビジョン受信機の上側にも設けられており、光学シート５が左右方向に移動することを規制するようにしてある。
【０１２９】
図８はバックライトシャーシ１、光学部材ホルダ６の部分斜視図である。図８はテレビジョン受信機の左角部分を後ろ側から見た図である。光学部材ホルダ６の左側ホルダ６１の数カ所に係合爪６１ｂが形成してある。光学部材ホルダ６の下側ホルダ６４の数カ所に係合爪６４ａが形成してある。右側ホルダ６２、上側ホルダ６３にも係合爪６１ｂと同様な係合爪が形成してある。バックライトシャーシ１の底板部分の数カ所には、孔部１ａが設けてある。光学部材ホルダ６の係合爪６１ｂがバックライトシャーシ１の内部から孔部１ａと係合することにより、光学部材ホルダ６がバックライトシャーシ１に固定される。下側ホルダ６４の係合爪６４ａがバックライトシャーシ１の外部から孔部１ａに係合することにより、下側ホルダ６４がバックライトシャーシ１に固定される。
【０１３０】
図９は図１のＩＸ−ＩＸ線による部分断面図である。図９にはテレビジョン受信機の上側部分及び下側部分の断面を示し、その中間部分は省略してある。
【０１３１】
図９の下側断面図に示すように、光学部材ホルダ６の下側ホルダ６４の断面略Ｌ字状を形成する一面が導光板４を前側から押えることにより導光板４を固定する。下側ホルダ６４の断面略Ｌ字状を形成する他面はバックライトシャーシ１の下側板上部の外面に嵌合する。
【０１３２】
図９の上側断面図に示すように、光学部材ホルダ６の上側ホルダ６３の断面略Ｌ字状を形成する一面が導光板４を前側から押えることにより導光板４を固定する。上側ホルダ６３の断面略Ｌ字状を形成する他面はバックライトシャーシ１の上面板状部と導光板４との間に入り込み、バックライトシャーシ１の上面板状部の内面に嵌合する。
【０１３３】
光学部材ホルダ６の左側ホルダ６１は導光板４の左側周縁部を固定する。光学部材ホルダ６の右側ホルダ６２は導光板４の右側周縁部を固定する。左側ホルダ６１、右側ホルダ６２とバックライトシャーシ１との位置関係は上側ホルダ６３と同様である。
【０１３４】
上述したように、光学部材ホルダ６をバックライトシャーシ１に固定することにより、導光板４の上下方向の位置決めがされるとともに、導光板４が固定される。また、光学部材ホルダ６をバックライトシャーシ１に固定することにより、光学シート５の位置決めがされる。ビスを用いずに、光学部材ホルダ６をバックライトシャーシ１に嵌合するだけで、導光板４の位置決め及び固定、光学シート５の位置決めが行える。それにより、より少ない工数でより高い組立精度を確保することが可能となる。
【０１３５】
光学部材ホルダ６は導光板４の表側周縁部（表面）を覆っている。光学部材ホルダ６は導光板４の左右の端面、上側の端面を覆っている。それにより、光学部材ホルダは６は導光板４から漏れるＬＥＤの光を遮光することが可能となる。
【０１３６】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。 
【０１３７】
（実施の形態２）
以下、本発明をその実施の形態を示す図面に基づき具体的に説明する。図１０は、本実施の形態に係る液晶表示装置の構成を示す分解斜視図である。また図１１は、本実施の形態に係る液晶表示装置の構成を示す一部拡大断面図である。図において２０１は、液晶パネルである。液晶パネル２０１は、略長方形の板状をなし、背面から照射された光の透光率を画素毎に制御することによって画像表示を行うデバイスである。液晶パネル２０１の背面側には、複数枚の光学シート２０２、導光板２０３及び反射板２０４が積層して設けられている。複数枚の光学シート２０２は、それぞれが異なる光学特性を有し、光の拡散などを行う光学部材である。各光学シート２０２は、液晶パネル２０１と同じか又は若干小さい略長方形をなしており、複数枚の光学シート２０２は略同じ形状である。
【０１３８】
導光板２０３は、液晶パネル２０１と同じか又は若干大きい略長方形の板状をなしている。導光板２０３は、その側面から入射した光を、内部にて反射及び拡散させて正面から出射する光学部材である。このため導光板２０３は、液晶パネル２０１及び反射板２０４等と比較して、厚みがあり、側面積が大きい。反射板２０４は、導光板２０３と同じか又は若干大きい略長方形の板状をなしている。反射板２０４は、その正面が鏡面などとされた部材であり、導光板２０３の背面から出射した光を、導光板２０３の内部へ、更には液晶パネル２０１の背面へ反射する。
【０１３９】
反射板２０４の背面には金属製のシャーシ２０５が配される。シャーシ２０５は、略長方形をなして反射板２０４の背面を覆う底面２５１と、この底面２５１を囲む周壁部２５２とを有するトレー状又は器状をなしており、積層された光学シート２０２、導光板２０３及び反射板２０４を収容する収容体である。シャーシ２０５の下辺側（液晶表示装置を使用する際の設置状態において下側となる辺）の周壁部２５２には、ＬＥＤ基板２０６が固定される。ＬＥＤ基板２０６は、細長い略長方形の板状をなす基板部２６１に、複数のＬＥＤ２６２が長手方向に並べて実装されたものである。ＬＥＤ基板２０６は、シャーシ２０５の周壁部２５２の内面に当接して固定され、この状態では実装されたＬＥＤ２６２が導光板２０３の側面に対向する。これによりＬＥＤ２６２が発した光が導光板２０３へ側面から入射し、導光板２０３により液晶パネル２０１の背面へ照射される。
【０１４０】
シャーシ２０５に収容された導光板２０３の側面と、シャーシ２０５の周壁部２５２との間隙からＬＥＤ２６２の光が漏洩することを防止するため、液晶表示装置は、遮光部材２０７を備えている。遮光部材２０７は、略長方形の枠状をなす合成樹脂製の部材であり、各辺の断面が略Ｌ字型をなしている。遮光部材２０７は、シャーシ２０５に収容された導光板２０３の正面周縁部分に当接すると共に、導光板２０３及びシャーシ２０５の周壁部２５２の間隙を閉塞する遮光部２７１と、この遮光部２７１に対して屈曲又は湾曲する態様で設けられ、シャーシ２０５の周壁部２５２の外面に当接する放熱部２７２とを有している。また遮光部材２０７の遮光部２７１は、導光板２０３の正面にて複数枚の光学シート２０２と隣り合うように設けられると共に、液晶パネル２０１の背面周縁部分に当接する。なお、遮光部材２０７の詳細な構成については後述する。
【０１４１】
液晶表示装置は、液晶パネル２０１の正面周縁部分に当接するパネルカバー２０８を備えており、パネルカバー２０８は略長方形の枠状をなしている。これにより液晶パネル２０１は、その周縁部分が遮光部材２０７の遮光部２７１及びパネルカバー２０８に挟まれる態様で固定される。
【０１４２】
また液晶表示装置は、上述のようにシャーシ２０５に積層して収容された液晶パネル２０１〜反射板２０４等を固定するフレーム２０９を備えている。フレーム２０９は、液晶表示装置の外装をなす金属製の部品であり、液晶パネル２０１などの上下左右の各辺に対応して４つ備えられている。各フレーム２０９は、液晶パネル２０１などの各辺に対応した長さの細長い部材であり、その断面が略Ｕ字型（又は略Ｊ字型）をなしている。フレーム２０９は、液晶パネル２０１の正面周縁部分を覆う正面被覆部２９１と、シャーシ２０５の背面周縁部分を覆う背面被覆部２９２と、正面被覆部２９１及び背面被覆部２９２を連結し、シャーシ２０５の側面を覆う側面被覆部２９３とを有している。フレーム２０９は、正面被覆部２９１がパネルカバー２０８の正面に当接し、側面被覆部２９３が遮光部材２０７の放熱部２７２に当接し、背面被覆部２９２がシャーシ２０５の背面などに当接する。またフレーム２０９は、遮光部材２０７の放熱部２７２に形成された貫通孔などを通して、シャーシ２０５にねじ止めされる。これにより、液晶パネル２０１、光学シート２０２、導光板２０３、反射板２０４、シャーシ２０５、遮光部材２０７及びパネルカバー２０８等は、四辺をフレーム２０９に挟み込まれる態様で固定される。
【０１４３】
図１２は、遮光部材２０７の構成を示す斜視図であり、枠状の遮光部材２０７の一辺（液晶表示装置の下辺）に対応する部分を抜き出して示したものである。また図１３は、遮光部材２０７の一部拡大斜視図であり、図１２の破線円で囲んだ部分を拡大したものである。上述のように遮光部材２０７は、導光板２０３に当接する遮光部２７１と、シャーシ２０５の周壁部２５２に当接する放熱部２７２とが略Ｌ字型に屈曲又は湾曲して設けられた細長の部材である。また遮光部材２０７の遮光部２７１には、導光板２０３に当接する部分２７１ａと、導光板２０３及びシャーシ２０５の間隙を閉塞する部分２７１ｂとがあり、両部分２７１ａ及び２７１ｂの間に段差２７１ｃが形成されている。
【０１４４】
また遮光部材２０７の外側（パネルカバー２０８及びフレーム２０９に当接する側）には、肉厚を薄く形成することによって、フレキシブルプリント基板（図示は省略する）を通す間隙２７３が複数設けられている。間隙２７３は、遮光部材２０７の長手方向に略等間隔で形成されており、この部分では遮光部材２０７はパネルカバー２０８及びフレーム２０９には当接しない。これにより遮光部材２０７には、パネルカバー２０８及びフレーム２０９に当接する部分と、当接しない部分とが長手方向に交互に設けられている。間隙２７３を通されたフレキシブルプリント基板は、一端側が液晶パネル２０１（の駆動回路など）に接続され、他端側がシャーシ２０５の背面に設けられた凹所などに搭載された制御回路基板などに接続される。
【０１４５】
遮光部材２０７の放熱部２７２は、フレーム２０９との当接面２７２ａに、遮光部材２０７の長手方向と交差する方向に長い長方形状の窪み２７２ｂが複数形成されている。この複数の窪み２７２ｂにより、当接面２７２ａは櫛形状とされている。遮光部材２０７は、櫛形状の当接面２７２ａにてフレーム２０９に当接するが、窪み２７２ｂにてフレーム２０９に当接しない。このような構成とすることにより、遮光部材２０７とフレーム２０９との当接面積を低減することができる。よって、ＬＥＤ基板２０６のＬＥＤ２６２の発光によって生じた熱が、フレーム２０９及び遮光部材２０７を介してフレーム２０９へ伝わる際の熱量を低減でき、フレーム２０９の温度上昇を抑制することができる。また窪み２７２ｂの大きさを調整して当接面２７２ａの面積を調整することによって、遮光部材２０７からフレーム２０９へ伝わる熱の量を調整することができる。
【０１４６】
遮光部材２０７は、例えばプラスチックなどの合成樹脂による一体成型にて製造されたものである（ただし枠状の遮光部材２０７を４つの辺に分けて成型してもよい）。よって遮光部材２０７の製造には合成樹脂を流し込む金型（図示は省略する）が用いられ、この金型には上記の窪み２７２ｂに対応する突部が設けられる。例えばこの金型の突部の一部又は全部を削り取るなどの加工を行うことで、成型される遮光部材２０７の当接面２７２ａの面積を調整することができる。当接面２７２ａが櫛形状である場合、金型の突部は複数の長方形状となるため、削り取るなどの加工を容易に行うことができる。
【０１４７】
なお本実施の形態において、遮光部材２０７はプラスチックなどの合成樹脂製であるのに対し、シャーシ２０５及びフレーム２０９はアルミニウム、鉄又は銅等の金属製である。即ち遮光部材２０７の熱伝導率は、シャーシ２０５及びフレーム２０９の熱伝導率より低い。
【０１４８】
例えばフレーム２０９の熱伝導性が悪い場合、遮光部材２０７の当接面２７２ａから伝えられた熱がフレーム２０９にて十分に拡散せず、フレーム２０９にて局所的に温度が高い箇所が発生する虞がある。また例えば遮光部材２０７の熱伝導性がよい場合、遮光部材２０７からフレーム２０９へ伝わる熱を低減するためには、当接面２７２ａの面積をより小さくする必要がある。このため、遮光部材２０７はフレーム２０９に接触しない箇所が増し、成型のバラツキなどによって意図しない箇所で遮光部材２０７及びフレーム２０９の接触が生じる虞がある。また当接面２７２ａの面積が小さいため、金型の調整などによって遮光部材２０７からフレーム２０９へ伝わる熱を調整することが困難化する虞がある。
【０１４９】
またＬＥＤ基板２０６からシャーシ２０５へ伝わった熱は、全てが遮光部材２０７へ伝わるわけではなく、その一部はシャーシ２０５の背面側へ伝わる。このため例えばシャーシ２０５の熱伝導性が悪い場合、ＬＥＤ基板２０６からの熱がシャーシ２０５を介して他の箇所へ伝わり難くなるため、ＬＥＤ基板２０６の温度が上昇し、ＬＥＤ２６２の劣化を早めるなどの虞がある。
【０１５０】
よって、遮光部材２０７は比較的に熱伝導性が悪いものであることが好ましく、シャーシ２０５及びフレーム２０９は比較的に熱伝導性がよいものであることが好ましい。
【０１５１】
以上の構成の液晶表示装置は、シャーシ２０５及びフレーム２０９の間に介在する遮光部材２０７を備え、ＬＥＤ２６２又は導光板２０３から外部へ漏出する光を遮蔽する。遮光部材２０７には、フレーム２０９との当接面２７２ａに窪み２７２ｂを形成する。窪み２７２ｂにより当接面２７２ａの面積が小さくなるため、遮光部材２０７からフレーム２０９へ伝わる熱を低減することができる。この窪み２７２ｂの大きさなどを適宜に調整することによって、遮光部材２０７とフレーム２０９との当接面積を適宜に調整することができ、遮光部材２０７からフレーム２０９へ伝わる熱量を調整することができる。
【０１５２】
また、遮光部材２０７に窪み２７２ｂを形成することによって、当接面２７２ａを櫛形状とする。これにより遮光部材２０７を合成樹脂の一体成型にて製造する場合、窪み２７２ｂに相当する金型の突部を削り取るなどの加工を行うことで当接面２７２ａの面積を調整でき、当接面２７２ａを櫛形状とする金型ではこのような加工を容易に行うことができる。
【０１５３】
また、底面２５１及び周壁部２５２を有するシャーシ２０５に、ＬＥＤ基板２０６を周壁部２５２の内側に当接させて収容する。遮光部材２０７は、シャーシ２０５の周壁部２５２の外側に当接する放熱部２７２と、これに対して屈曲又は湾曲する態様で設けられた遮光部２７１とを有する。遮光部材２０７の放熱部２７２は、シャーシ２０５に当接する当接面２７２ａに窪み２７２ｂを形成する。遮光部材２０７の遮光部２７１は、導光板２０３の周縁部に当接して、導光板２０３及びシャーシ２０５の隙間から洩れる光を遮蔽する。このような構成とすることにより、液晶表示装置の側面側への放熱量を適宜に調整することができる。
【０１５４】
また遮光部材２０７は、その熱伝導率がシャーシ２０５及びフレーム２０９の熱伝導率より小さい材料で構成する。例えば遮光部材２０７をプラスチックなどの合成樹脂の一体成型品とし、シャーシ２０５及びフレーム２０９をアルミニウム、鉄又は銅等の金属製とすることができる。遮光部材２０７の熱伝導率を小さくすることによって、遮光部材２０７の当接面２７２ａの面積を大きくすることができる。
【０１５５】
なお本実施の形態においては、遮光部材２０７を合成樹脂による一体成型にて製造されたものとしたが、これに限るものではない。例えば枠状の遮光部材２０７を４つの辺に分割してそれぞれ樹脂成型を行い、接着又はねじ止め等の方法で固定してもよく、更に多数の部品に分割して製造してもよい。また遮光部材２０７をプラスチックなどの合成樹脂製としたが、これは一例であり、その他の素材によるものであってよい。同様にシャーシ２０５及びフレーム２０９をアルミニウム、鉄又は同等の金属製としたが、これは一例であり、その他の素材によるものであってよい。
【０１５６】
（変形例１）
また、遮光部材２０７の当接面２７２ａを櫛形状としたが、以下の変形例に示すように、その他の形状であってよい。図１４は、遮光部材２０７の当接面２７２ａの変形例を示す模式図である。図１４Ａに示す遮光部材２０７は、当接面２７２ａを格子形状としたものである。複数の窪み２７２ｂは、それぞれ略正方形であり、縦横に並べて形成される。また図１４Ｂに示す遮光部材２０７は、略円形の窪み２７２ｂを一列に並べて形成したものであり、当接面２７２ａは略長方形から複数の略円形を除外した形状となる。なお遮光部材２０７の当接面２７２ａは、図示の形状に限らず、更に種々の形状とすることができる。
【０１５７】
（変形例２）
また上述の液晶表示装置は、液晶パネル２０１にテレビジョン放送の番組に係る画像を表示するテレビジョン受信機に適用することができる。図１５は、変形例に係るテレビジョン受信機の構成を示すブロック図である。変形例に係るテレビジョン受信機は、液晶パネル２０１を有する上述の構成の液晶表示装置と、テレビジョン放送を受信するチューナ部１０１と、ユーザの操作を受け付ける操作部１０２と、チューナ部１０１にて受信したテレビジョン放送及び操作部１０２にて受け付けた操作に応じて画像表示に係る制御を行う制御部１００とを備えている。
【０１５８】
チューナ部１０１は、ユーザの選局操作に応じた所定のテレビジョン放送を受信し、受信したテレビジョン放送に係るデータを制御部１００へ与える。制御部１００は、チューナ部１０１から与えられたデータをデコードし、デコードしたデータに含まれる画像データに対して画質補正などの画像処理を行い、画像処理後のデータを液晶表示装置の液晶パネル２０１へ与える。液晶パネル２０１は、制御部１００から与えられたデータに基づく画像表示を行う。また図示は省略するが、制御部１００は、デコードしたデータに含まれる音声データをスピーカへ与えることにより音声出力を行う。 
【０１５９】
（実施の形態３）
以下、本発明をその実施の形態を示す図面に基づき具体的に説明する。図１６は、本実施の形態に係る液晶表示装置の構成を示す分解斜視図である。図において３０１は、液晶パネルである。液晶パネル３０１は、略長方形の板状をなし、背面から照射された光の透光率を画素毎に制御することによって画像表示を行うデバイスである。液晶パネル３０１の背面側には、複数枚の光学シート３０２、導光板３０３及び反射板３０４が積層して設けられている。複数枚の光学シート３０２は、それぞれが異なる光学特性を有し、光の拡散などを行う光学部材である。各光学シート３０２は、液晶パネル３０１と同じか又は若干小さい略長方形をなしており、複数枚の光学シート３０２は略同じ形状である。
【０１６０】
導光板３０３は、液晶パネル３０１と同じか又は若干大きい略長方形の板状をなしている。導光板３０３は、その側面から入射した光を、内部にて反射及び拡散させて正面から出射する光学部材である。このため導光板３０３は、液晶パネル３０１及び反射板３０４等と比較して、厚みがある。反射板３０４は、導光板３０３と同じか又は若干大きい略長方形の板状をなしている。反射板３０４は、その正面が鏡面などとされた部材であり、導光板３０３の背面から出射した光を、導光板３０３の内部へ、更には液晶パネル３０１の背面へ反射する。
【０１６１】
反射板３０４の背面には金属製のシャーシ３０５が配される。シャーシ３０５は、略長方形をなして反射板３０４の背面を覆う底板３５１と、この底板３５１を囲む周壁部３５２とを有するトレー状又は器状をなしており、積層された光学シート３０２、導光板３０３及び反射板３０４を収容する収容体である。シャーシ３０５の下辺側（液晶表示装置を使用する際の設置状態において下側となる辺）の周壁部３５２には、ＬＥＤ基板３０６が固定される。ＬＥＤ基板３０６は、細長い略長方形の板状をなす基板部３６１（図１８参照）に、複数のＬＥＤ３６２（図１８参照）が長手方向に並べて実装されたものである。ＬＥＤ基板３０６は、シャーシ３０５の周壁部３５２の内面に当接して固定され、この状態では実装されたＬＥＤ３６２が導光板３０３の側面に対向する。これによりＬＥＤ３６２が発した光が導光板３０３へ側面から入射し、導光板３０３により液晶パネル３０１の背面へ照射される。
【０１６２】
シャーシ３０５に収容された導光板３０３の側面と、シャーシ３０５の周壁部３５２との間隙からＬＥＤ３６２の光が漏出することを防止するため、液晶表示装置は、遮光部材３０７を備えている。遮光部材３０７は、略長方形の枠状をなす合成樹脂製の部材であり、各辺の断面が略Ｌ字型をなしている。遮光部材３０７は、シャーシ３０５に収容された導光板３０３の正面周縁部分に当接すると共に、シャーシ３０５の周壁部３５２の内面又は外面に当接する。これにより遮光部材３０７は、導光板３０３及びシャーシ３０５の周壁部３５２の間隙を閉塞して光の漏出を防止する。また遮光部材３０７は、導光板３０３の正面にて複数の光学シート３０２を囲むように設けられると共に、液晶パネル３０１の背面周縁部分に当接する。即ち、光学シート３０２は液晶パネル３０１及び導光板３０３より小さい略長方形とされ、液晶パネル３０１、複数の光学シート３０２及び導光板３０３が積層された場合に光学シート３０２の側方の液晶パネル３０１及び導光板３０３の間隙に、遮光部材３０７が配置される。なお遮光部材３０７は、辺毎に４分割して成型され、液晶表示装置の組み立ての際に枠状とされる。遮光部材の各部品の接合部分は、例えば遮光テープなどで覆うことにより、その隙間から光が外部へ漏出することを防止する構成としてよい。また詳細は後述するが、液晶表示装置の下側に相当する遮光部材３０７の下辺と、その他の辺（上辺、左辺及び右辺）とでは、その構成が若干異なっている。
【０１６３】
液晶表示装置は、液晶パネル３０１の正面周縁部分に当接するパネルカバー３０８を備えており、パネルカバー３０８は略長方形の枠状をなしている。これにより液晶パネル３０１は、その周縁部分が遮光部材３０７及びパネルカバー３０８に挟まれる態様で固定される。
【０１６４】
また液晶表示装置は、上述のようにシャーシ３０５に積層して収容された液晶パネル３０１〜反射板３０４等を固定するフレーム３０９を備えている。フレーム３０９は、液晶表示装置の外装をなす金属製の部品であり、液晶パネル３０１などの上下左右の各辺に対応して４つ備えられている。各フレーム３０９は、液晶パネル３０１などの各辺に対応した長さの細長い部材であり、その断面が略Ｕ字型をなしている。フレーム３０９は、積層された液晶パネル３０１〜シャーシ３０５等を挟み込むようにその開口を内向きにして嵌め込まれることにより、液晶パネル３０１の正面周縁部分、シャーシ３０５の側面部分及び背面周縁部分を覆うように装着され、シャーシ３０５にねじ止めされる。これにより、液晶パネル３０１、光学シート３０２、導光板３０３、反射板３０４、シャーシ３０５、遮光部材３０７及びパネルカバー３０８等は、四辺をフレーム３０９に挟み込まれる態様で固定される。
【０１６５】
図１７は、本実施の形態に係る液晶表示装置の構成を示す一部拡大断面図であり、液晶表示装置の上辺の断面構造を示したものである。なお図示は省略するが、液晶表示装置の左辺及び右辺の断面構造は、図１７に示した上辺の断面構造と略同じである。上述のように、シャーシ３０５には、正面側から液晶パネル３０１、複数の光学シート３０２、導光板３０３及び反射板３０４が積層して収容されている。
【０１６６】
上辺の遮光部材３０７は、シャーシ３０５に収容された導光板３０３の正面周縁部分に当接する遮光部３７１と、シャーシ３０５の周壁部３５２の内面に当接するシャーシ当接部３７２とを有している。遮光部材３０７は、それぞれが細長い略長方形の板状をなす遮光部３７１及びシャーシ当接部３７２を、断面形状が略Ｌ字型となるように長辺部分にて接合した態様である。遮光部材３０７の遮光部３７１は、正面が液晶パネル３０１の背面周縁部分に当接するパネル当接面３７１ａとされ、背面が導光板３０３の正面周縁部分に当接する導光板当接面３７１ｂとされている。パネル当接面３７１ａ及び導光板当接面３７１ｂは、共に平坦な面である。遮光部材３０７の遮光部３７１は、その厚みが複数の光学シート３０２を積層した厚みに略等しく、複数の光学シート３０２と同様に液晶パネル３０１及び導光板３０３の間に挟み込まれる態様で配される。遮光部材３０７により、導光板３０３の端部分が覆い隠されるため、導光板３０３の端部分から出射した光が液晶パネル３０１の背面側に漏出することがなく、光が外部へ漏出することがない。
【０１６７】
また遮光部材３０７は、液晶パネル３０１の位置を定める位置決め突部３７３を有している。位置決め突部３７３は、パネル当接面３７１ａの端部（液晶表示装置の側面側の端部）に、パネル当接面３７１ａから液晶表示装置の正面側へ突出して設けられている。位置決め突部３７３の突出端には、液晶パネル３０１が配される側の角部分を面取りした傾斜面３７３ａが設けてある。傾斜面３７３ａは、液晶表示装置の組み立てなどの際に、液晶パネル３０１をパネル当接面３７１ａへ案内するためのものである。液晶パネル３０１は、その背面がパネル当接面３７１ａに当接し、その側面が位置決め突部３７３に当接して、位置が定められる。位置決めがなされた液晶パネル３０１は、その正面周縁部分がパネルカバー３０８にて覆われる。
【０１６８】
上辺のフレーム３０９は、液晶パネル３０１の正面周縁部分を覆う正面被覆部３９１と、シャーシ３０５の背面周縁部分を覆う背面被覆部３９２と、正面被覆部３９１及び背面被覆部３９２を連結し、シャーシ３０５の側面を覆う側面被覆部３９３とを有している。フレーム３０９は、積層された液晶パネル３０１〜シャーシ３０５等を挟み込むことによって、これらを固定する部材である。フレーム３０９は、正面被覆部３９１がパネルカバー３０８の正面に当接し、側面被覆部３９３がシャーシ３０５の周壁部３５２の外面に当接し、背面被覆部３９２がシャーシ３０５の背面に当接する。またフレーム３０９は、正面被覆部３９１の内面に突設され、遮光部材３０７を背面側へ押圧する押圧部３９４を有している。押圧部３９４は、遮光部材３０７の位置決め突部３７３の突出端部に当接し、遮光部材３０７を押圧する。
【０１６９】
断面形状が略Ｕ字型のフレーム３０９にて液晶表示装置の周縁部分を正面及び背面から挟み込むことにより、フレーム３０９の正面被覆部３９１がパネルカバー３０８を背面側へ押圧し、パネルカバー３０８が液晶パネル３０１及び複数の光学シート３０２を導光板３０３へ押圧する。フレーム３０９の押圧部３９４の押圧により、遮光部材３０７は導光板３０３を背面側へ押圧する。またフレーム３０９の背面被覆部３９２がシャーシ３０５を正面側へ押圧することにより、シャーシ３０５が反射板３０４及び導光板３０３を正面側へ押圧する。よってフレーム３０９の装着により、各部材は正面及び背面から押圧されて固定される。
【０１７０】
図１８は、本実施の形態に係る液晶表示装置の構成を示す一部拡大断面図であり、液晶表示装置の下辺の断面構造を示したものである。液晶表示装置の下辺の構造は、図１７に示した上辺（及び左右辺）の構成とは若干異なる。これは、液晶表示装置の下辺にはＬＥＤ基板３０６が搭載されるためである。なおシャーシ３０５に、正面側から順に液晶パネル３０１、複数の光学シート３０２、導光板３０３及び反射板３０４が積層して収容される構成は、図１７に示した構成と同じである。ただし、シャーシ３０５の下辺における周壁部３５２の内面には、ＬＥＤ３６２が導光板３０３の側面に対向するように、ＬＥＤ基板３０６が固定されている。
【０１７１】
下辺の遮光部材３０７は、シャーシ３０５に収容された導光板３０３の正面周縁部分に当接すると共に、導光板３０３及びシャーシ３０５の周壁部３５２の間隙を閉塞する遮光部３７１と、シャーシ３０５の周壁部３５２の外面に当接するシャーシ当接部３７２とを有し、遮光部３７１及びシャーシ当接部３７２によってその断面が略Ｌ字型とされている。遮光部材３０７の遮光部３７１は、正面が液晶パネル３０１の背面周縁部分及びパネルカバー３０８に当接するパネル当接面３７１ａとされ、背面が導光板３０３の正面周縁部分に当接する導光板当接面３７１ｂとされている。遮光部材３０７の遮光部３７１は、複数の光学シート３０２と共に液晶パネル３０１及び導光板３０３の間に挟み込まれる態様で配される。遮光部材３０７により、導光板３０３の端部分、並びに、導光板３０３及びシャーシ３０５の間隙に配されたＬＥＤ基板３０６が覆い隠されるため、導光板３０３の周縁部分及びＬＥＤ基板３０６等から出射した光が外部へ漏出することがない。また遮光部材３０７のパネル当接面３７１ａに当接して配された液晶パネル３０１は、その正面周縁部分がパネルカバー３０８にて覆われる。
【０１７２】
また下辺の遮光部材３０７は、パネルカバー３０８の位置を定める位置決め突部３７４を有している。位置決め突部３７４は、パネル当接面３７１ａの端部に、パネル当接面３７１ａから液晶表示装置の正面側へ突出して設けられている。また四角枠状をなすパネルカバー３０８の下辺には、その背面に位置決め突部３８１が設けられている。遮光部材３０７の位置決め突部３７４に、パネルカバー３０８の位置決め突部３８１を当接させる（この状態において位置決め突部３７４及び位置決め突部３８１は、液晶表示装置の上下方向に並ぶ）ことにより、パネルカバー３０８の位置が定められる。またパネルカバー３０８の位置決め突部３８１を液晶パネル３０１の側面に当接させる構成として、位置決め突部３８１にて液晶パネル３０１の位置決めを行う構成としてもよい。
【０１７３】
下辺のフレーム３０９は、液晶パネル３０１の正面周縁部分を覆う正面被覆部３９１と、シャーシ３０５の背面周縁部分を覆う背面被覆部３９２と、正面被覆部３９１及び背面被覆部３９２を連結し、シャーシ３０５の側面を覆う側面被覆部３９３とを有している。フレーム３０９は、正面被覆部３９１がパネルカバー３０８の正面に当接し、側面被覆部３９３が遮光部材３０７のシャーシ当接部３７２の外面に当接し、背面被覆部３９２がシャーシ３０５の背面に当接する。またフレーム３０９は、正面被覆部３９１の内面に突設され、遮光部材３０７を背面側へ押圧する押圧部３９４を有している。押圧部３９４は、遮光部材３０７の位置決め突部３７４に当接し、遮光部材３０７を押圧する。
【０１７４】
液晶表示装置の他の辺と同様に、断面形状が略Ｕ字型の下辺のフレーム３０９にて液晶表示装置の周縁部分を正面及び背面から挟み込むことにより、フレーム３０９の正面被覆部３９１がパネルカバー３０８を背面側へ押圧し、パネルカバー３０８が液晶パネル３０１及び複数の光学シート３０２を導光板３０３へ押圧する。フレーム３０９の押圧部３９４の押圧により、遮光部材３０７は導光板３０３を背面側へ押圧する。またフレーム３０９の背面被覆部３９２がシャーシ３０５を正面側へ押圧することにより、シャーシ３０５が反射板３０４及び導光板３０３を正面側へ押圧する。よってフレーム３０９の装着により、各部材は正面及び背面から押圧されて固定される。
【０１７５】
図１９は、光学シート３０２及び遮光部材３０７の構成を示す拡大斜視図であり、図１６において光学シート３０２及び遮光部材３０７の右下角部分及びその周辺を拡大して図示したものである。複数の光学シート３０２は、略長方形のシートであり、略同じ形状である。また遮光部材３０７は四角枠状をなしており、複数の光学シート３０２は、導光板３０３及び液晶パネル３０１の間に積層された状態で、遮光部材３０７に囲まれるようにその内部に配される。
【０１７６】
光学シート３０２には、その左右の辺（２つの短辺）に、延出部３２１がそれぞれ設けられている。延出部３２１は、それぞれ左右辺の下寄りの位置に左右方向へ延出して設けられている。複数の光学シート３０２は、そのすべてが略同じ形状である。よって、各光学シート３０２の延出部３２１の延出位置は略同じであり、複数の光学シート３０２を積層した場合、複数の延出部３２１が重なり合う。また各延出部３２１の形状は、略矩形である。
【０１７７】
遮光部材３０７の左右辺には、その内側に位置決め凹部３７５が形成されている。位置決め凹部３７５は、光学シート３０２の延出部３２１に対応して設けられている、即ち四角枠状をなす遮光部材３０７の左右辺の下寄りの位置に設けられている。位置決め凹部３７５は、正面視の形状が延出部３２１と略同じ大きさ又はこれより若干大きい矩形をなしており、光学シート３０２の延出部３２１を収容することができる。略矩形の延出部３２１が位置決め凹部３７５内にはまり込むことによって、導光板３０３の正面における光学シート３０２の位置が定められる。
【０１７８】
以上の構成の液晶表示装置は、液晶パネル３０１、光学シート３０２及び導光板３０３を積層してシャーシ３０５に収容すると共に、シャーシ３０５内にて導光板３０３の側面側にＬＥＤ基板３０６を配し、液晶パネル３０１及びシャーシ３０５等をフレーム３０９にて挟み込んで被覆する構成である。この構成において液晶表示装置は、導光板３０３の正面周縁部分及びシャーシ３０５の周壁部３５２に当接する遮光部材３０７により、導光板３０３又はＬＥＤ基板３０６から外部へ漏出する光を遮蔽する。またフレーム３０９を装着した場合には、遮光部材３０７が導光板３０３を背面側へ押圧する構成とし、これにより導光板３０３が強固に固定され、位置ずれなどが生じることを防止できる。
【０１７９】
また、遮光部材３０７は、液晶パネル３０１の背面周縁部分に当接するパネル当接面３７１ａと、導光板３０３の正面周縁部分に当接する導光板当接面３７１ｂとを有し、液晶パネル３０１及び導光板３０３の周縁部分に挟み込まれる構成である。四角枠状をなす遮光部材３０７の上辺及び左右辺には、パネル当接面３７１ａの沿う方向に対する液晶パネル３０１の位置を定める位置決め突部３７３を設ける。これにより、液晶パネル３０１の位置決めを容易化且つ高精度化できる。またパネル当接面３７１ａを平坦面とし、位置決め突部３７３に傾斜面３７３ａを形成する。これにより、液晶パネル３０１を傾斜面３７３ａに沿ってパネル当接面３７１ａへ移動し、位置決めを行うことができる。
【０１８０】
また、略矩形の底板３５１及び四角枠状の周壁部３５２を有するシャーシ３０５に、液晶表示装置の下辺に対応する周壁部３５２の内面にＬＥＤ基板３０６を当接させて収容する。四角枠状の遮光部材３０７は、その下辺にて周壁部３５２の外面に当接し、その他の上辺及び左右辺にて周壁部３５２の内面に当接する構成とする。これにより、ＬＥＤ基板３０６に搭載されたＬＥＤ３６２が発する光がフレーム３０９の外部へ漏出することを遮光部材３０７により遮蔽することができる。またＬＥＤ基板３０６が設けられていない上辺及び左右辺については、狭額縁化することができる。
【０１８１】
また、複数の光学シート３０２及び遮光部材３０７は共に液晶パネル３０１及び導光板３０３の間に挟み込まれる構成であり、積層された複数の光学シート３０２は四角枠状の遮光部材３０７の内部に配置する。この構成において、光学シート３０２の左右辺の下寄りの位置に延出部３２１を設けると共に、遮光部材３０７の対応する位置に位置決め凹部３７５を形成する。これにより、光学シート３０２の延出部３２１を遮光部材３０７の位置決め凹部３７５内に収容することで、光学シート３０２の位置決めを容易且つ高精度に行うことができる。
【０１８２】
なお本実施の形態においては、四角枠状の遮光部材３０７を辺毎に４分割して製造する構成としたが、これに限るものではなく、１つの部品として一体成型してもよく、２つ、３つ又は５つ以上の部品に分割して製造してもよい。また遮光部材３０７をプラスチックなどの合成樹脂製としたが、これは一例であり、その他の素材によるものであってよい。同様にシャーシ３０５及びフレーム３０９を金属製としたが、これは一例であり、その他の素材によるものであってよい。また遮光部材３０７は、上辺及び左右辺において周壁部３５２の内面に当接する構成としたが、これに限るものではなく、周壁部３５２の外面に当接する構成であってもよい。また光学シート３０２には、左右辺の下寄りの位置に延出部３２１を設ける構成としたが、これに限るものではない。延出部３２１を設ける位置及び設ける数は、本実施の形態に示した構成に限らない。
【０１８３】
（変形例３）
また上述の液晶表示装置は、液晶パネル３０１にテレビジョン放送の番組に係る画像を表示するテレビジョン受信機に適用することができる。図２０は、変形例に係るテレビジョン受信機の構成を示すブロック図である。変形例に係るテレビジョン受信機は、液晶パネル３０１を有する上述の構成の液晶表示装置と、テレビジョン放送を受信するチューナ部１０１と、ユーザの操作を受け付ける操作部１０２と、チューナ部１０１にて受信したテレビジョン放送及び操作部１０２にて受け付けた操作に応じて画像表示に係る制御を行う制御部１００とを備えている。
【０１８４】
チューナ部１０１は、ユーザの選局操作に応じた所定のテレビジョン放送を受信し、受信したテレビジョン放送に係るデータを制御部１００へ与える。制御部１００は、チューナ部１０１から与えられたデータをデコードし、デコードしたデータに含まれる画像データに対して画質補正などの画像処理を行い、画像処理後のデータを液晶表示装置の液晶パネル３０１へ与える。液晶パネル３０１は、制御部１００から与えられたデータに基づく画像表示を行う。また図示は省略するが、制御部１００は、デコードしたデータに含まれる音声データをスピーカへ与えることにより音声出力を行う。
【０１８５】
以下に、本発明の実施の形態に係る表示装置を、テレビジョン受信機を例として説明する。
（実施の形態４）
図２１はテレビジョン受信機の外観斜視図である。図２２はテレビジョン受信機の主要部の分解斜視図である。テレビジョン受信機は、バックライトシャーシ４０１（保持体）、ＬＥＤ（Light Emitting Diode）基板４０２、反射シート４０３、導光板４０４、光学シート４０５、光学部材ホルダ４０６（固定部材）、液晶パネル４０７（表示パネル）、パネルカバー４０８、フレーム４０９、チューナ基板４１０、電源基板４１１を含む。
【０１８６】
以下の説明においては、テレビジョン受信機の液晶パネル４０７が設けられた側を前側または単に前と呼ぶこととする。前側の反対側を後ろ側または単に後ろと呼ぶこととする。液晶パネル４０７に向かって左を左側または単に左と呼ぶこととする。液晶パネル４０７に向かって右を右側または単に右と呼ぶこととする。テレビジョン受信機を縦姿勢とした場合に、液晶パネル４０７の上方向を上側または単に上と呼ぶこととする。同様に、液晶パネル４０７の下方向を下側または単に下と呼ぶこととする。
また、テレビジョン受信機の各構成要素の説明においては、特に記載がない限り、各構成要素がテレビジョン受信機に組み付けられた状態での方向を記述する。
【０１８７】
バックライトシャーシ４０１は一面が開口部としてある浅底の箱状である。バックライトシャーシ４０１はテレビジョン受信機の筐体の一部となるものである。バックライトシャーシ４０１は強度を確保するために金属、例えば鋼板により形成する。バックライトシャーシ４０１はプレス成形により成形される。強度が確保できるのであれば、バックライトシャーシ４０１はアルミなどの軽金属で形成しても良い。
【０１８８】
ＬＥＤ基板４０２は平板矩形であって、細長い形状の基板（矩形状基板）である。ＬＥＤ基板４０２には発光素子としてＬＥＤが実装されている。ＬＥＤが発する熱を効率的に放散させるために、ＬＥＤ基板４０２はアルミニウムにて形成してある。ＬＥＤ基板４０２は左右対称の２枚から構成されている。
【０１８９】
導光板４０４はバックライトシャーシ４０１よりやや小さい矩形板状である。導光板４０４はアクリル樹脂、ポリカーボネート樹脂、メタクリル樹脂、環状ポリオレフィン等の合成樹脂製である。
【０１９０】
反射シート４０３は導光板４０４と平面視が略同形である。反射シート４０３は合成樹脂シートである。反射シート４０３は入射した光を全反射する機能を持つものである。光学シート４０５は複数のシートからなる。光学シート４０５を構成する複数のシートは拡散シート、反射偏光シート、レンズシート等である。光学シート４０５は合成樹脂シートである。光学シート４０５はこれら複数のシートが積層された積層体である。
【０１９１】
光学部材ホルダ４０６は額縁状である。光学部材ホルダ４０６は断面略Ｌ字状の４つの棒状部材から構成してある。光学部材ホルダ４０６を構成する４つの棒状部材は左側ホルダ４６１、右側ホルダ４６２、上側ホルダ４６３、下側ホルダ４６４である。光学部材ホルダ４０６を構成する各部材はポリカーボネート、ポリアセタール、ポリアミドなどのエンジニアリングプラスチックにて形成される。
【０１９２】
液晶パネル４０７は略直方体状をなし、前側（表側）に画像を表示する。パネルカバー４０８は矩形枠状の部材である。パネルカバー４０８は液晶パネル４０７の周縁部を覆う。液晶パネル４０７はパネルカバー４０８を介在してフレーム４０９により固定される。
【０１９３】
フレーム４０９は断面Ｕ字状またはコの字状の細長い棒状部材４本から構成されている。フレーム４０９を構成する部材は左フレーム４９１、右フレーム４９２、上フレーム４９３、下フレーム４９４である。左フレーム４９１はテレビジョン受信機の左側面を覆う。右フレーム４９２はテレビジョン受信機の右側面を覆う。上フレーム４９３はテレビジョン受信機の上側を覆う。下フレーム４９４はテレビジョン受信機の下側を覆う。各フレームの対向する二面の間にテレビジョン受信機の各構成が挟み込まれ固定される。
【０１９４】
チューナ基板４１０は、テレビジョン放送を受信し、放送信号を取り出す。チューナ基板４１０により取り出された放送信号に基づき、液晶パネル４０７に画像が表示される。電源基板４１１は、所定電圧の電力をテレビジョン受信機の各部に供給する。チューナ基板４１０、電源基板４１１はバックライトシャーシ４０１の後面外側にビスで固定されている。バックライトシャーシ４０１に固定されたチューナ基板４１０、電源基板４１１は保護のため、基板カバー（図示しない）で覆われている。
【０１９５】
以上のような構成のテレビジョン受信機は次のようにして組み立てられる。バックライトシャーシ４０１下側の後ろ側から前側に伸びている板状部分にＬＥＤ基板４０２を固定する。バックライトシャーシ４０１の箱状底板部分に反射シート４０３を載せる。反射シート４０３の上に、導光板４０４を載せる。導光板４０４は下側端面とＬＥＤ基板４０２のＬＥＤ実装面とが所定の間隔を保つように位置決めされる。導光板４０４の上に光学シート４０５を載せる。光学部材ホルダ４０６をバックライトシャーシ４０１に固定する。光学部材ホルダ４０６が固定されることにより、導光板４０４の位置決め、固定がされる。光学部材ホルダ４０６が固定されることにより、光学シート４０５の位置決めがされる。
【０１９６】
光学シート４０５、光学部材ホルダ４０６の上に液晶パネル４０７を載せる。さらに、液晶パネル４０７の周縁部を覆うパネルカバー４０８を載せる。フレーム４０９により、バックライトシャーシ４０１からパネルカバー４０８までの積層された部材が挟まれ、固定される。
【０１９７】
以上のように構成されたテレビジョン受信機において、ＬＥＤが発した光は、導光板４０４の側縁から入る。導光板４０４の後ろ側には反射シート４０３があるため、導光板４０４の後ろ側方向に進んだ光は反射シート４０３に反射される。反射シート４０３で反射した光が、液晶パネル４０７を後ろ側から照射する。液晶パネル４０７が制御され、液晶パネル４０７の前側に画像が表示される。
【０１９８】
光学部材ホルダ４０６は３つの役割を担っている。光学部材ホルダ４０６の第一の役割は反射シート４０３、導光板４０４、光学シート４０５、液晶パネル４０７の位置決めを行うことである。光学部材ホルダ４０６の第二の役割は導光板４０４の固定を行うことである。光学部材ホルダ４０６の第三の役割はＬＥＤの光が導光板４０４から外部に漏れないように遮光することである。
【０１９９】
図２３はＬＥＤ基板４０２の平面図である。図２４はＬＥＤ基板４０２が取り付けられている態様を示す斜視図である。図２３に示しているのは導光板４０４の右側半分に光を供給するＬＥＤ基板４０２である。導光板４０４の左側半分に光を供給するＬＥＤ基板４０２は図２３に示したＬＥＤ基板４０２と左右対称の構造としてある。図２４はテレビジョン受信機の右下角部分を示したものである。ＬＥＤ基板４０２は基板本体４２１、ＬＥＤ素子４２２、スペース４２３（位置決め部材）、コネクタ４２４、ネジ孔４２５を含む。
【０２００】
基板本体４２１は平板矩形状であって、細長い形状である。基板本体４２１は熱伝導性の良いアルミニウムなどで形成される。基板本体４２１の一面には、複数のＬＥＤ素子４２２が等間隔に実装されている。基板本体４２１の他面はバックライトシャーシ４０１に固定される。ＬＥＤ素子４２２は導光板４０４を介して液晶パネルに光を供給する素子である。ＬＥＤ素子４２２の発光色は白色である。
【０２０１】
基板本体４２１の一面の一端には、スペース４２３が設けられている。基板本体４２１の一面の他端には、コネクタ４２４が設けられている。ＬＥＤ基板４０２はスペース４２３がテレビジョン受信機の外側方向、コネクタ４２４がテレビジョン受信機の内側方向となるようにバックライトシャーシ４０１に固定される。ＬＥＤ基板４０２のスペース４２３の内側、コネクタ４２４の内側にはそれぞれネジ孔４２５が形成されている。
【０２０２】
コネクタ４２４は各ＬＥＤ素子４２２に電源を供給するケーブルを接続するためのものである。ネジ孔４２５は下フレーム４９４、バックライトシャーシ４０１、ＬＥＤ基板４０２を一体に固定するためのネジが螺合するネジ孔である。基板本体４２１の裏面（バックライトシャーシ側の面）には熱伝導性の良い両面テープが全面に亘り貼られている。両面テープにより、ＬＥＤ基板４０２がバックライトシャーシ４０１に固定される。また、両面テープを介してＬＥＤ素子４２２が発した熱をバックライトシャーシ４０１に放熱する。
【０２０３】
スペース４２３は楕円柱状または多角柱状の部材である。スペース４２３は耐熱温度が９０〜１００度程度の樹脂で形成する。ＬＥＤ素子４２２から発生する熱により温度上昇しても、変形・変質しない素材でなければならないからである。例えば、ポリカーボネート、ポリアミド、ポリアセタール、ポリブチレンテレフタレート、フッ素樹脂で形成する。スペース４２３は両面テープでＬＥＤ基板４０２の基板本体４２１に固定される。
【０２０４】
図２５はスペーサ４２３により位置決めされた導光板４０４の態様を示す平面図である。テレビジョン受信機の左側下部分を示している。スペース４２３は導光板４０４の位置決めを行うためのものである。スペース４２３の高さｈは基板本体４２１からＬＥＤ素子４２２が突出する高さｈ１と、導光板４０４及びＬＥＤ素子４２２の適正な間隔ｈ２とで規定される。スペース４２３の高さｈはｈ１とｈ２とを合計した値である。なお、導光板４０４及びＬＥＤ素子４２２の適正な間隔ｈ２は０．３ｍｍ〜０．５ｍｍ程度である。
【０２０５】
テレビジョン受信機の右側下部分にも図２５の左右対称となった構成が設けられている。導光板４０４の下面をＬＥＤ基板４０２に設けたスペース４２３と接触させることにより、導光板４０４の上下方向の位置決めを精度良く行うことが可能となる。なお、導光板４０４はＬＥＤ素子４２２の発熱により膨張する。膨張のため導光板４０４のスペース４２３の接触部分が移動することがある。したがって、スペース４２３は摩擦係数が小さく、導光板４０４が容易に摺動する材質であることが望ましい。
【０２０６】
図２６は導光板４０４の固定方法を説明するための部分斜視図である。説明を簡単にするために、バックライトシャーシ４０１、導光板４０４、光学部材ホルダ４０６を構成する右ホルダ４６２を記載している。導光板４０４の右側面には凸部４４１が設けられている。右ホルダ４６２の右側面には凹部４６２ａが設けられている。バックライトシャーシ４０１に位置決めされた状態で右ホルダ４６２をバックライトシャーシ４０１に嵌合させる。凹部４６２ａと凸部４４１が嵌合することにより、導光板４０４の上下方向の移動が規制される。図２６はテレビジョン受信機の右側面を示しているが、左右対称となった構成がテレビジョン受信機の左側面にも設けてある。
【０２０７】
以上のように、実施の形態４のテレビジョン受信機では、ＬＥＤ基板４０２に設けたスペース４２３により導光板４０４の上下方向の位置決めを行うことが可能となる。それによって、ＬＥＤ素子４２２と導光板４０４下面との間隔が所定値以内となるように組み立てることが可能となる。
【０２０８】
（実施の形態５）
実施の形態４ではスペーサ４２３を樹脂で形成し、両面テープでＬＥＤ基板４０２の基板本体４２１に固定されるものとしたが、ＬＥＤ基板４０２に実装するものとしても良い。実施の形態５はスペーサ４２３の材質の一部と固定方法とが実施の形態４と異なるのみである。その他の点については実施の形態４と同様である。ここでは、実施の形態４との違いを主に説明する。実施の形態５で用いるスペーサ４２３は基板実装用のスペーサである。スペーサ４２３は楕円柱状または多角柱状の樹脂の外面に平板状の金属片を固定したものである。スペーサ４２３は基板本体４２１にハンダ付け可能としてある。実施の形態５では、スペーサ４２３をＬＥＤ素子４２２と同じ工程でチップマウンタにより基板本体４２１に実装し、リフローでハンダ付けを行う。スペーサ４２３は、不要となったチップ部品を再利用しても良い。なお、上述したように、導光板４０４の端面と接触する部分のスペーサ４２３の材質は導光板４０４が容易に摺動するものであることが望ましい。
【０２０９】
実施の形態５ではスペーサ４２３をＬＥＤ素子４２２と同工程で実装することが可能となる。それにより、スペーサ４２３の実装に伴う組立工数があまり増えることなく、組み立てることが可能となる。
【０２１０】
（実施の形態６）
実施の形態４及び実施の形態５ではスペーサ４２３をＬＥＤ基板４０２に設けるものとしたが、スペーサ４２３に相当する部分を導光板４０４に設けても良い。図２７は導光板４０４に設けた下凸部４４２により位置決めされた導光板４０４の態様を示す平面図である。テレビジョン受信機の左側下部分を示している。テレビジョン受信機の右側下部分にも図２７の左右対称となった構成が設けられている。図２７に示すように導光板４０４の左下端及び右下端に下凸部４４２を設けてある。下凸部４４２は導光板４０４の下部の一部を突出させてある。突出長ｈは基板本体４２１からＬＥＤ素子４２２が突出する高さｈ１と、導光板４０４及びＬＥＤ素子４２２の適正な間隔ｈ２とで規定される。突出長ｈはｈ１とｈ２とを合計した値である。
【０２１１】
各実施の形態で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【０２１２】
（付記１６）
表側に画像を表示する表示パネルと、発光素子が実装してある矩形状基板と、前記表示パネルの裏側に配され、前記発光素子と対向する側面から入射した光を前記表示パネルの裏側方向へ出射して前記表示パネルを照射する導光板と、
前記導光板の周縁部を保持する保持体と、
前記導光板を前記保持体に固定する固定部材と
を備えた表示装置であって、
前記矩形状基板の前記発光素子実装面の長手方向端部には、前記導光板に向けて突出し、前記発光素子に対する前記導光板の位置を決めるための位置決め部材が設けてあり、
前記導光板の前記発光素子に対向する端面は前記位置決め部材先端面と当接するようしてあること
を特徴とする表示装置。
【０２１３】
（付記１７）
前記位置決め部材は両面テープにて前記矩形状基板に貼付してあること
を特徴とする付記１６に記載の表示装置。
【０２１４】
（付記１８）
前記位置決め部材は樹脂により形成してあること
を特徴とする付記１６又は付記１７に記載の表示装置。
【０２１５】
（付記１９）
前記位置決め部材は電子部品であり、前記矩形状基板に実装してあること
を特徴とする付記１６に記載の表示装置。
【０２１６】
（付記２０）
前記発光素子はＬＥＤであること
を特徴とする付記１６から付記１９のいずれか一項に記載の表示装置。
【０２１７】
（実施の形態７）
以下に、本発明の実施の形態に係る表示装置を、テレビジョン受信機を例として説明する。
図２８はテレビジョン受信機の外観斜視図である。図２９はテレビジョン受信機の主要部の分解斜視図である。テレビジョン受信機は、バックライトシャーシ５０１（保持体）、ＬＥＤ（Light Emitting Diode）基板５０２、反射シート５０３、導光板５０４、光学シート５０５、光学部材ホルダ５０６（固定部材）、液晶パネル５０７（表示パネル）、パネルカバー５０８（枠体）、フレーム５０９、チューナ基板５１０、電源基板５１１を含む。
【０２１８】
以下の説明においては、テレビジョン受信機の液晶パネル５０７が設けられた側を前側または単に前と呼ぶこととする。前側の反対側を後ろ側または単に後ろと呼ぶこととする。液晶パネル５０７に向かって左を左側または単に左と呼ぶこととする。液晶パネル５０７に向かって右を右側または単に右と呼ぶこととする。テレビジョン受信機を縦姿勢とした場合に、液晶パネル５０７の上方向を上側または単に上と呼ぶこととする。同様に、液晶パネル５０７の下方向を下側または単に下と呼ぶこととする。
また、テレビジョン受信機の各構成要素の説明においては、特に記載がない限り、各構成要素がテレビジョン受信機に組み付けられた状態での方向を記述する。
【０２１９】
バックライトシャーシ５０１は一面が開口部としてある浅底の箱状である。バックライトシャーシ５０１はテレビジョン受信機の筐体の一部となるものである。バックライトシャーシ５０１は強度を確保するために金属、例えば鋼板により形成する。バックライトシャーシ５０１はプレス成形により成形される。強度が確保できるのであれば、バックライトシャーシ５０１はアルミなどの軽金属で形成しても良い。
【０２２０】
ＬＥＤ基板５０２は平板矩形であって、細長い形状の基板である。ＬＥＤ基板５０２には発光素子としてＬＥＤが実装されている。ＬＥＤが発する熱を効率的に放散させるために、ＬＥＤ基板５０２はアルミニウムにて形成してある。ＬＥＤ基板５０２は左右対称の２枚から構成されている。
【０２２１】
導光板５０４はバックライトシャーシ５０１よりやや小さい矩形板状である。導光板５０４はアクリル樹脂、ポリカーボネート樹脂、メタクリル樹脂、環状ポリオレフィン等の合成樹脂製である。
【０２２２】
反射シート５０３は導光板５０４と平面視が略同形である。反射シート５０３は合成樹脂シートである。反射シート５０３は入射した光を全反射する機能を持つものである。光学シート５０５は複数のシートからなる。光学シート５０５を構成する複数のシートは拡散シート、反射偏光シート、レンズシート等である。光学シート５０５は合成樹脂シートである。光学シート５０５はこれら複数のシートが積層された積層体である。
【０２２３】
光学部材ホルダ５０６は額縁状である。光学部材ホルダ５０６は断面略Ｌ字状の４つの棒状部材から構成してある。光学部材ホルダ５０６を構成する４つの棒状部材は左側ホルダ５６１、右側ホルダ５６２、上側ホルダ５６３、下側ホルダ５６４である。光学部材ホルダ５０６を構成する各部材はポリカーボネート、ポリアセタール、ポリアミドなどのエンジニアリングプラスチックにて形成される。
【０２２４】
液晶パネル５０７は略直方体状をなし、前側（表側）に画像を表示する。パネルカバー５０８は矩形枠状の部材である。パネルカバー５０８は液晶パネル５０７の周縁部を覆う。液晶パネル５０７はパネルカバー５０８を介在してフレーム５０９により固定される。
【０２２５】
フレーム５０９は断面Ｕ字状またはコの字状の細長い棒状部材４本から構成されている。フレーム５０９を構成する部材は左フレーム５９１、右フレーム５９２、上フレーム５９３、下フレーム５９４である。左フレーム５９１はテレビジョン受信機の左側面を覆う。右フレーム５９２はテレビジョン受信機の右側面を覆う。上フレーム５９３はテレビジョン受信機の上側を覆う。下フレーム５９４はテレビジョン受信機の下側を覆う。各フレームの対向する二面の間にテレビジョン受信機の各構成が挟み込まれ固定される。
【０２２６】
チューナ基板５１０は、テレビジョン放送を受信し、放送信号を取り出す。チューナ基板５１０により取り出された放送信号に基づき、液晶パネル５０７に画像が表示される。電源基板５１１は、所定電圧の電力をテレビジョン受信機の各部に供給する。チューナ基板５１０、電源基板５１１はバックライトシャーシ５０１の後面外側にビスで固定されている。バックライトシャーシ５０１に固定されたチューナ基板５１０、電源基板５１１は保護のため、基板カバー（図示しない）で覆われている。
【０２２７】
以上のような構成のテレビジョン受信機は次のようにして組み立てられる。バックライトシャーシ５０１下側の後ろ側から前側に伸びている板状部分にＬＥＤ基板５０２を固定する。バックライトシャーシ５０１の箱状底板部分に反射シート５０３を載せる。反射シート５０３の上に、導光板５０４を載せる。導光板５０４は下側端面とＬＥＤ基板５０２のＬＥＤ実装面とが所定の間隔を保つように位置決めされる。導光板５０４の上に光学シート５０５を載せる。光学部材ホルダ５０６をバックライトシャーシ５０１に固定する。光学部材ホルダ５０６が固定されることにより、導光板５０４の位置決め、固定がされる。光学部材ホルダ５０６が固定されることにより、光学シート５０５の位置決めがされる。
【０２２８】
光学シート５０５、光学部材ホルダ５０６の上に液晶パネル５０７を載せる。さらに、液晶パネル５０７の周縁部を覆うパネルカバー５０８を載せる。フレーム５０９により、バックライトシャーシ５０１からパネルカバー５０８までの積層された部材が挟まれ、固定される。
【０２２９】
以上のように構成されたテレビジョン受信機において、ＬＥＤが発した光は、導光板５０４の側縁から入る。導光板５０４の後ろ側には反射シート５０３があるため、導光板５０４の後ろ側方向に進んだ光は反射シート５０３に反射される。反射シート５０３で反射した光が、液晶パネル５０７を後ろ側から照射する。液晶パネル５０７が制御され、液晶パネル５０７の前側に画像が表示される。
【０２３０】
光学部材ホルダ５０６は３つの役割を担っている。光学部材ホルダ５０６の第一の役割は反射シート５０３、導光板５０４、光学シート５０５、液晶パネル５０７の位置決めを行うことである。光学部材ホルダ５０６の第二の役割は導光板５０４の固定を行うことである。光学部材ホルダ５０６の第三の役割はＬＥＤの光が導光板５０４から外部に漏れないように遮光することである。
【０２３１】
図３０は下側ホルダ５６４の部分斜視図である。下側ホルダ５６４は断面Ｌ字の棒状部材である。下側ホルダ５６４の断面Ｌ字を構成する一面（板状部）は表示パネル接触部５６４１（周縁接触部）及びパネルカバー当接部５６４２（枠体当接部）である。断面Ｌ字を構成する他面は下側板状部５６４３である。パネルカバー当接部５６４２は下側ホルダの長手方向に断続的に設けられている。パネルカバー当接部５６４２は表示パネル接触部５６４１と下側板状部５６４３を連結している。下側板状部５６４３はパネルカバー当接部５６４２と連結する部分は前後方向（図３０の上下方向）に肉厚となっている。パネルカバー当接部５６４２同士の間は凹部５６４ｃが形成されている。
【０２３２】
パネルカバー当接部５６４２には上方向に突出する突出部５６４ａ（凸状）が形成してある。突出部５６４ａの先端の角は面取りしてある（図３２、図３３参照）。
【０２３３】
図３１は液晶パネル５０７の部分斜視図である。液晶パネル５０７の下部の一部を示している。液晶パネル５０７下部には、液晶パネル５０７にソース信号を供給するフレキシブル基板５７１が接続されている。
【０２３４】
図３２は光学部材ホルダ５０６上に液晶パネル５０７が載せられた状態を示す部分斜視図である。テレビジョン受信機の下側の一部を示している。液晶パネル５０７の下端面５０７ａ（周面）は突出部５６４ａと僅かな距離を隔てた位置に載せられている。突出部５６４ａの先端部分を面取りしているのは、光学部材ホルダ５０６上に液晶パネル５０７を載せる際に液晶パネルの位置決めを行いやすくするためである。液晶パネル５０７を載せる際には、液晶パネル５０７の下端面５０７ａを下側ホルダ５６４の突出部５６４ａの先端に合わせる形で位置を決める。液晶パネル５０７の位置が多少ずれたとしても、突出部５６４ａの先端の角は面取りしてあるので、突出部５６４ａにガイドされ、適切な位置に液晶パネル５０７を表示パネル接触部５６４１、光学シート５０５の上に載せることが可能となる。
【０２３５】
液晶パネル５０７を表示パネル接触部５６４１、光学シート５０５の上に載せると、表示パネル接触部５６４１、液晶パネルの突出部５６４、液晶パネル５０７の下端面５０７ａとに囲まれている溝５６４ｂが形成される。凹部５６４ｃには、液晶パネル５０７のフレキシブル基板５７１が通るようにしてある。
【０２３６】
液晶パネル５０７の上面にはパネルカバー５０８が載せられる。さらに、フレーム５０９によりバックライトシャーシ５０１からパネルカバー５０８までの部材を挟み込み固定する。
【０２３７】
パネルカバー５０８は矩形枠状の部材である。パネルカバー５０８は液晶パネル５０７の表側周縁部を覆う。
【０２３８】
図３３は図２８のＶＩ−ＶＩ線による部分断面図である。図３４は図２８のＶＩＩ−ＶＩＩ線による部分断面図である。図３３、図３４共にテレビジョン受信機の下部を示したものである。ＶＩ−ＶＩ線は図３２に示している突出部５６４ａを通っている。ＶＩＩ−ＶＩＩ線は図３２に示している溝５６４ｂを通っている。
【０２３９】
パネルカバー５０８の矩形状を構成する下側の板の裏面には、光学部材ホルダ５０６の下側ホルダ５６４に向かって延びる凸部５８１が設けられている。
【０２４０】
図３３に示している断面では、液晶パネルの下端面５０７ａと対向する下側ホルダ５６４の面は突出部５６４ａの先端面である。突出部５６４ａの先端の角は面取りがしてあるため、液晶パネル５０７は突出部５６４ａに沿って下方にずれながら、突出部５６４ａに乗り上げるようにして、前方にせり出すおそれがある。しかしながら図３４に示しているように、溝５６４ｂに向かって、パネルカバー５０８に形成された凸部５８１が突出している。液晶パネル５０７が下方にずれた場合、パネルカバー５０８に形成された凸部５８１が液晶パネル５０７の下端面５０７ａを支える。パネルカバー５０８は液晶パネル５０７の表側も押さえているので、液晶パネル５０７が突出部５６４ａに乗り上げるように、下方へさらにずれ、前方にせり出すことを防ぐことが可能である。
【０２４１】
上述のように、下側ホルダ５６４のパネルカバー当接部５６４２と液晶パネル５０７とに囲まれている溝５６４ｂにパネルカバー５０８に形成された凸部５８１が入り込むことにより、液晶パネル５０７が下方に脱落することを規制することが可能となる。
【０２４２】
各実施の形態で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【０２４３】
（付記２１）
表面に画像を表示する表示パネルと、該表示パネルの裏面側に配され、発光素子と対向する側面から入射した光を前記表示パネルの裏面側へ出射して前記表示パネルを照射する導光板と、該導光板の裏面及び周面を保持する保持体と、前記導光板の表面周縁部を覆い、前記導光板を前記保持体に固定し、前記表示パネルの裏面周縁の一部に接する固定部材と、前記表示パネルの表面周縁部を覆う枠体と
を備えた表示装置において、
前記固定部材は前記導光板の表側周縁部を覆う板状部を有し、
該板状部は
前記表示パネルの裏面周縁部が接する周縁接触部、
該周縁接触部と連なり、前記表示パネルの表面と略面一で、前記枠体に当接する枠体当接部を含み、
前記表示パネル周面と前記枠体当接部は離隔しており、前記枠体当接部の側面、周縁接触部の一部分及び前記表示パネルの周面により溝が形成されるようにしてあり、
前記枠体には、前記溝に嵌入し前記表示パネルの面方向の位置ずれを防止する凸部が設けてあること
を特徴とする表示装置。
【０２４４】
（付記２２）
前記凸部は前記枠体から前記表示パネルの表面方向に突出するようにしてあること
を特徴とする付記２１に記載の表示装置。
【０２４５】
（付記２３）
前記枠体当接部には前記表示パネルの周面方向に延びる凸状が設けてあり、該凸状の先端を面取りしてあること
を特徴とする付記２１又は付記２２に記載の表示装置。
【０２４６】
（付記２４）
付記２２から付記２３のいずれか一つに記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【０２４７】
（実施の形態８）
以下、本発明をその実施の形態を示す図面に基づいて具体的に説明する。
図３５は本発明の実施の形態に係るＴＶ受信機６１０を示す斜視図、図３６はＴＶ受信機６１０のスタンド６０９を除いた部分を示す拡大斜視図、図３７はＴＶ受信機６１０を示す背面図、図３８はＴＶ受信機６１０を左側から見た状態を示す一部側面図、図３９はＴＶ受信機６１０を左側から見た状態を示す一部断面図、図４０はＬＥＤ基板６１２を示す平面図である。
【０２４８】
ＴＶ受信機６１０は、横長の直方体状をなし、縦姿勢で配された表示モジュール６０２と、表示モジュール６０２の下辺，右辺，上辺，及び左辺（以上、図３５の上下左右に対応する）をそれぞれ覆う下フレーム６０３，右フレーム６０４，上フレーム６０５，及び左フレーム６０６と、アンテナ（不図示）から放送波を受信するチューナ（受信部）６０７と、符号化された放送波を復号するデコーダ６０８と、表示モジュール６０２を支持するスタンド６０９とを備える。表示モジュール６０２と、下フレーム６０３，右フレーム６０４，上フレーム６０５，及び左フレーム６０６とから表示装置が構成される。下フレーム６０３，右フレーム６０４，上フレーム６０５，及び左フレーム６０６は、例えばアルミニウムからなる。
【０２４９】
下フレーム６０３は、表示モジュール６０２の正面の下端縁部に沿って延びる前板部６３０と、前板部６３０に直角に連設され、表示モジュール６０２の底面に沿って延びる底板部６３２と、底板部６３２に直角に連設され、表示モジュール６０２の背面の下端縁部に沿って延びる背板部６３３とを備える。背板部６３３は、前板部６３０より高さを高くしている。
右フレーム６０４も下フレーム６０３と同様に、表示モジュール６０２の正面の端縁部に沿って延びる前板部６４０と、前板部６４０に直角に連設され、表示モジュール６０２の側面に沿って延びる側板部６４２と、側板部６４２に直角に連設され、表示モジュール６０２の背面の端縁部に沿って延びる背板部６４３とを備える。上フレーム６０５及び左フレーム６０６も下フレーム６０３及び右フレーム６０４と同様の構成を有する。
【０２５０】
図３６に示すように、右フレーム６０４の前板部６４０の下端部はＬ字状に切り欠かれており、このＬ字状に切り欠かれた部分に下フレーム６０３の前板部６３０の右端部が嵌り、右フレーム６０４の側板部６４２の下辺が下フレーム６０３の底板部６３２の内面に当接する状態で、右フレーム６０４と下フレーム６０３とが連結されている。右フレーム６０４と上フレーム６０５、上フレーム６０５と左フレーム６０６、左フレーム６０６と下フレーム６０３とも上記と同様にして連結される。
【０２５１】
表示モジュール６０２は、表示パネル６１０と、シャーシ６１１と、ＬＥＤ基板６１２と、反射シート６１３と、導光板６１４と、光学シート６１５と、遮光ホルダ６１６と、パネルカバー６１９とを備える。
シャーシ６１１は例えば鉄からなり、表示パネル６１０側（正面側）が開口された略箱状をなす。シャーシ６１１に、ＬＥＤ基板６１２、反射シート６１３、導光板６１４、及び光学シート６１５が収納されている。シャーシ６１１の底板の外面には、上述のチューナ６０７、デコーダ６０８等を実装した基板が設けられており、基板は基板カバー６２５で覆われている。シャーシ６１１は合成樹脂製であってもよい。
【０２５２】
導光板６１４は矩形板状をなし、表示パネル６１０側に対向する主面と、主面の反対面でシャーシ６１１の底板に対向する裏面と、一対の長側面と、一対の短側面とを有する。導光板６１４は反射シート６１３を介してシャーシ６１１の底板に配されている。導光板６１４の一方の長側面が、ＬＥＤ基板６１２の後述するＬＥＤ６１２２から発光された光を導入する光入射面として機能し、長側面から導光板６１４内へ導入された光は、導光板６１４の主面から表示パネル６１０側に向かって出射する。
【０２５３】
光学シート６１５は、拡散シート、レンズシート及びＤＢＥＦシート（反射型偏光シート）等を含むシート群であり、導光板６１４の主面上に配されている。この光学シート６１５によって、導光板６１４の主面から出射された光の拡散及び集光等が行われる。
【０２５４】
ＬＥＤ基板６１２は、例えばアルミニウム製の基板の平面に、導光板６１４内へ導入する光を発光する複数のＬＥＤ６１２２を実装してなり、導光板６１４の下側の長側面側に配されている。ＬＥＤ基板６１２は、前記長側面に沿って延び、各ＬＥＤ６１２２が導光板６１４の長側面と対向する。ＬＥＤ基板６１２は２分割されており、各分体の両端部に雌ネジ６１２１が設けられている。端部側のＬＥＤ６１２２，６１２２間には位置決め孔６１２３が設けられている。
【０２５５】
遮光ホルダ６１６は矩形枠状をなし、導光板６１４の端縁部に沿って延びる前板部６１６１と、前板部６１６１に直角に連設され、導光板６１４の長側面に沿って延びる側板部６１６２とを備える。前板部６１６１は、下部が上部より突出した段構造を有する。図３９に示すように、導光板６１４の下端縁部を前板部６１６１とシャーシ６１１の底板とで挟持し、側板部６１６２により、シャーシ６１１のＬＥＤ基板６１２を配してある側板を覆っている。
【０２５６】
表示パネル６１０は、液晶層と、一対のガラス基板と、偏光板とを有する。一対のガラス基板はシール材を挟んで互いに貼り合わされており、その間に液晶層が挟持されている。そして、偏光板は、一対のガラス基板の液晶層側とは反対側の面上にそれぞれ配されている。
【０２５７】
パネルカバー６１９は矩形枠状をなし、表示パネル６１０の端縁部を覆うように表示パネル６１０の周縁側に配されている。
【０２５８】
以上のように構成された表示モジュール６０２の下端部には、遮光ホルダ６１６の側板部６１６２が底板部６３２の内面に当接し、パネルカバー６１９が前板部６３０の内面に当接し、かつシャーシホルダ６２０がシャーシ６１１の背面を支持して背板部６３３に当接する状態で、下フレーム６０３が嵌められている。
【０２５９】
下フレーム６０３の底板部６３２には、長手方向の両端部と中央部の２箇所の合計４箇所に、ネジ挿通孔６３１が設けられている（図３６及び図３７参照）。ネジ挿通孔６３１に対応して、ＬＥＤ基板６１２には雌ネジ６１２１が設けられ、シャーシ６１１，遮光ホルダ６１６にはそれぞれネジ挿通孔６１１１，ネジ挿通孔６１６３が設けられている。
ネジ挿通孔６３１，６１６３，６１１１にブッシュ２２が嵌められており、ネジ６２１がブッシュ２２に挿通されて前記雌ネジ６１２１に螺合されている。
【０２６０】
以下、表示装置の組み立てについて説明する。
図４１は、本発明の実施の形態に係る表示装置を示す分解斜視図である。
まず、２個のＬＥＤ基板６１２を、位置決め挿通孔６１２３にシャーシ６１１の位置決めピンを挿通して、両面テープにより仮止めした状態でシャーシ６１１の側板に当接する。
そして、シャーシ６１１の底板に反射シート６１３を載置し、反射シート６１３に導光板６１４を載置する。
【０２６１】
次に、側板部６１６２の内面がシャーシ６１１の側板の外面に当接し、ＬＥＤ基板６１２の長側面が前板部６１６１の下部の内面に当接する状態で、遮光ホルダ６１６を導光板６１４に取り付ける。
導光板６１４に光学シート６１５を載置し、光学シート６１５に表示パネル６１０を載置する。
表示パネル６１０の端縁部、及び遮光ホルダ６１６の前板部６１６１に、パネルカバー６１９を嵌合する。
【０２６２】
上フレーム６０５をパネルカバー６１９の上枠に嵌合し、右フレーム６０４及び左フレーム６０６をパネルカバー６１９の右枠及び左枠に嵌合する。
そして、シャーシホルダ６２０を表示モジュール６０２の背面に配した状態で、下フレーム６０３を表示モジュール６０２の下部に嵌め込み、４個のネジ６２１を各ネジ挿通孔６３１に挿通し、遮光ホルダ６１６のネジ挿通孔６１６３、及びシャーシ６１１のネジ挿通孔６１１１を挿通して、ＬＥＤ基板６１２の雌ネジ６１２１に締め付ける。ネジ留めしたときに、ＬＥＤ基板６１２はシャーシ６１１側に密着される。
【０２６３】
以上のように構成された本実施の形態のＴＶ受信機６０１においては、シャーシ６１１の側板及び遮光ホルダ６１６を介し、ＬＥＤ基板６１２と下フレーム６０３の底板部６３２とを螺合するので、ＬＥＤ基板６１２のシャーシ６１１への固定と、下フレーム６０３のシャーシ６１１への固定とを容易に同時に行うことができる。
そして、ＬＥＤ基板６１２が下フレーム６０３に連結されているので、ＬＥＤ基板６１２で発生した熱が下フレーム６０３へ良好に放出される。また、遮光ホルダ６１６を介在させるので、遮光ホルダ６１６の伝熱路の表面積を調整することで、放熱量を調整することができる。
【０２６４】
また、本実施の形態のＴＶ受信機６０１においては、部品点数の増加もなく、ボスも不要であり、下フレーム６０３をシャーシ６１１へ固定するためのスペース、ＬＥＤ基板６１２をシャーシ６１１への固定するためのスペースを小さくすることができ、表示装置の薄型化及び狭額縁化が実現される。
【０２６５】
ネジ６２１は、下フレーム６０３側からＬＥＤ基板６１２へ留められ、ＬＥＤ基板６１２にネジ６２１の脚部が螺合する雌ネジ６１２１が設けられているので、ネジ頭がＬＥＤ基板６１２に配される場合と異なり、図４０に示すように、ネジ６２１がＬＥＤ６１２２の間隔に干渉することがなく、ＬＥＤ６１２２の間隔を均一にすることができる。従って、導光板のドットパターンの複雑な調整を行う必要がない。すなわち、ドットパターンを調整しなくても光ムラが生じない。
【０２６６】
また、本実施の形態においては、ＬＥＤ基板６１２と下フレーム６０３とを同一のアルミニウム材料から構成しているので、熱膨張時に歪みが発生することがない。
【０２６７】
なお、本実施の形態においては、ＴＶ受信機６０１が片側エッジライト方式である場合につき説明しているがこれに限定されるものではなく、本発明のＴＶ受信機６０１は両側エッジライト方式の場合にも適用することができる。
【０２６８】
今回開示された実施の形態は、全ての点で例示であって、制限的なものではないと考えるべきである。本発明の範囲は、上述した意味ではなく、特許請求の範囲と均等の意味及び特許請求の範囲内での全ての変更が含まれることが意図される。
【０２６９】
（付記２５）
複数の発光素子を実装した基板と、側板に前記基板が取り付けられる箱体と、前記発光素子から発光された光が照射される表示パネルと、該箱体の前記側板を含む部分、及び前記表示パネルの端縁部を覆うフレームとを備える表示装置において、
前記箱体の側板を介し、前記基板と前記フレームの前記側板に対向する部分とを螺合してあることを特徴とする表示装置。
【０２７０】
（付記２６）
前記基板に雌ネジを設けてあることを特徴とする付記２５に記載の表示装置。
【０２７１】
（付記２７）
前記発光素子からの光を側面から入射して主面から出射する導光板を前記箱体に収容し、前記主面に対向して前記表示パネルを縦姿勢で配してあり、
前記フレームは、前記箱体の底板の一部、及び前記表示パネルの下端縁部を覆うように構成されていることを特徴とする付記２５又は付記２６に記載の表示装置。
【０２７２】
（付記２８）
前記導光板の端縁部を前記底板とで挟持し、かつ前記側板を覆う保持体を備え、
該保持体及び前記側板を介し、前記基板と前記フレームの前記側板に対向する部分とを螺合してあることを特徴とする付記２７に記載の表示装置。
【０２７３】
（付記２９）
付記２５から付記２８までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。 
【符号の説明】
【０２７４】
１  バックライトシャーシ（保持体）
１ａ  孔部
２  ＬＥＤ基板
３  反射シート
４  導光板
４１  嵌合凸部
５  光学シート
５１ａ  凸部
６  光学部材ホルダ（位置決め部材）
６１  左側ホルダ
６１ｂ  係合爪
６２  右側ホルダ
６２１  側板部
６２２  表板部
６２ａ  凹部（嵌合凹部）
６２ｂ  凹部（切り欠き）
６３  上側ホルダ
６４  下側ホルダ
６４ａ  係合爪
７  液晶パネル（表示パネル）
８  パネルカバー
９  フレーム
９１  左フレーム
９２  右フレーム
９３  上フレーム
９４  下フレーム
２０１  液晶パネル
２０２  光学シート
２０３  導光板
２０４  反射板
２０５  シャーシ（収容体）
２０６  ＬＥＤ基板（光源基板）
２０７  遮光部材
２０８  パネルカバー
２０９  フレーム（外装部品）
２５１  底面（背面部）
２５２  周壁部
２６１  基板部
２６２  ＬＥＤ
２７１  遮光部（第２の部分）
２７２  放熱部（第１の部分）
２７２ａ  当接面
２７２ｂ  窪み
２７３  間隙
２９１  正面被覆部
２９２  背面被覆部
２９３  側面被覆部
３０１  液晶パネル
３０２  光学シート
３０３  導光板
３０４  反射板
３０５  シャーシ（収容体）
３０６  ＬＥＤ基板（光源基板）
３０７  遮光部材
３０８  パネルカバー
３０９  フレーム（外装部品）
３２１  延出部
３５１  底板（背面部）
３５２  周壁部
３６１  基板部
３６２  ＬＥＤ
３７１  遮光部
３７１ａ  パネル当接面
３７１ｂ  導光板当接面
３７２  シャーシ当接部
３７３  位置決め突部
３７３ａ  傾斜面
３７４  位置決め突部
３７５  位置決め凹部
３８１  位置決め突部
３９１  正面被覆部
３９２  背面被覆部
３９３  側面被覆部
３９４  押圧部
４０１  バックライトシャーシ（保持体）
４０２  ＬＥＤ基板
４２１  基板本体（矩形状基板）
４２２  ＬＥＤ素子（発光素子）
４２３  スペーサ（位置決め部材）
４０３  反射シート
４０４  導光板
４４１  凸部
４４２  下凸部
４０５  光学シート
４０６  光学部材ホルダ（固定部材）
４６１  左側ホルダ
４６２  右側ホルダ
４６３  上側ホルダ
４６４  下側ホルダ
４０７  液晶パネル（表示パネル）
４０８  パネルカバー
４０９  フレーム
５０１  バックライトシャーシ（保持体）
５０２  ＬＥＤ基板
５０３  反射シート
５０４  導光板
５０５  光学シート
５０６  光学部材ホルダ（固定部材）
５６１  左側ホルダ
５６２  右側ホルダ
５６３  上側ホルダ
５６４  下側ホルダ
５６４１  表示パネル接触部（周縁接触部）
５６４２  パネルカバー当接部（枠体当接部）
５６４３  下側板状部
５６４ａ  突出部（凸状）
５６４ｂ  溝
５６４ｃ  凹部
５０７  液晶パネル（表示パネル）
５０７ａ  下端面
５７１  フレキシブル基板
５０８  パネルカバー（枠体）
５８１  凸部
５０９  フレーム
５９１  左フレーム
５９２  右フレーム
５９３  上フレーム
５９４  下フレーム
５１０  チューナ基板
５１１  電源基板
６０１  ＴＶ受信機
６０２  表示モジュール
６０３  下フレーム
６３０  前板部
６３１  ネジ挿通孔
６３２  底板部
６３３  背板部
６０４  右フレーム
６０５  上フレーム
６０６  左フレーム
６０７  チューナ
６０８  デコーダ
６０９  スタンド
６１０  表示パネル
６１１  シャーシ
６１１１  ネジ挿通孔
６１２  ＬＥＤ基板
６１２１  雌ネジ
６１３  反射シート
６１４  導光板
６１５  光学シート
６１６  遮光ホルダ
６１６３  ネジ挿通孔
６１９  パネルカバー
６２０  シャーシホルダ
６２１  ネジ
【図１】
2014082202.tif 000003
【図２】
2014082202.tif 000004
【図３】
2014082202.tif 000005
【図４】
2014082202.tif 000006
【図５】
2014082202.tif 000007
【図６】
2014082202.tif 000008
【図７】
2014082202.tif 000009
【図８】
2014082202.tif 000010
【図９】
2014082202.tif 000011
【図１０】
2014082202.tif 000012
【図１１】
2014082202.tif 000013
【図１２】
2014082202.tif 000014
【図１３】
2014082202.tif 000015
【図１４】
2014082202.tif 000016
【図１５】
2014082202.tif 000017
【図１６】
2014082202.tif 000018
【図１７】
2014082202.tif 000019
【図１８】
2014082202.tif 000020
【図１９】
2014082202.tif 000021
【図２０】
2014082202.tif 000022
【図２１】
2014082202.tif 000023
【図２２】
2014082202.tif 000024
【図２３】
2014082202.tif 000025
【図２４】
2014082202.tif 000026
【図２５】
2014082202.tif 000027
【図２６】
2014082202.tif 000028
【図２７】
2014082202.tif 000029
【図２８】
2014082202.tif 000030
【図２９】
2014082202.tif 000031
【図３０】
2014082202.tif 000032
【図３１】
2014082202.tif 000033
【図３２】
2014082202.tif 000034
【図３３】
2014082202.tif 000035
【図３４】
2014082202.tif 000036
【図３５】
2014082202.tif 000037
【図３６】
2014082202.tif 000038
【図３７】
2014082202.tif 000039
【図３８】
2014082202.tif 000040
【図３９】
2014082202.tif 000041
【図４０】
2014082202.tif 000042
【図４１】
2014082202.tif 000043
【手続補正書】
【提出日】平成26年1月24日(2014.1.24)
【手続補正１】
【補正対象書類名】明細書
【補正対象項目名】００４０
【補正方法】変更
【補正の内容】
【００４０】
本発明に係る表示装置は、表面に画像を表示する表示パネルと、該表示パネルの裏面側に配され、光を拡散させ前記表示パネルに入射させる光学シートと、前記光学シートを収容する収容体と、前記光学シートの側面及び前記収容体の側面の間に介在する側板部、及び前記表示パネルの表面と平行な表板部を有し、前記光学シートの面方向の位置決めを行う位置決め部材とを備えた表示装置において、前記光学シートの辺縁部には面方向に突出する位置決めのための凸部が設けてあり、該表板部には前記凸部が緩挿される切り欠きが設けてあることを特徴とする。
【手続補正２】
【補正対象書類名】明細書
【補正対象項目名】００６１
【補正方法】変更
【補正の内容】
【００６１】
本発明に係る液晶表示装置は、液晶パネルの背面に配された一又は複数の光学シートと、該光学シートの背面に配された導光板と、該導光板の側面側に配置された光源基板と、前記導光板及び光源基板を収容する収容体と、前記液晶パネルの正面周縁部分及び前記収容体の背面を覆う外装部品とを備える液晶表示装置において、前記収容体は、前記導光板の背面を覆う背面部と、該背面部の周囲に設けられ、四角枠状をなす周壁部とを有し、前記導光板の正面周縁部分及び前記収容体の前記周壁部に当接し、前記光源又は前記導光板から外部へ漏出する光を遮蔽する遮光部材を備え、前記外装部品は、前記液晶パネル及び前記収容体を挟み込むようにしてあり、前記外装部品の装着により前記遮光部材が前記導光板を背面側へ押圧するようにしてあり、前記光源基板は、前記周壁部の一辺の内側に当接して前記収容体に収容してあり、前記遮光部材は、前記一辺にて前記周壁部の外面に当接し、他の辺にて前記周壁部の内面に当接するようにしてあることを特徴とする。
【手続補正３】
【補正対象書類名】明細書
【補正対象項目名】００６４
【補正方法】削除
【補正の内容】
【手続補正４】
【補正対象書類名】明細書
【補正対象項目名】００６７
【補正方法】変更
【補正の内容】
【００６７】
本発明にあっては、液晶パネルの背面に光学シートを配し、光学シートの背面に導光板を配する。即ち液晶パネル、光学シート及び導光板をこの順で積層する。また導光板の側面側に光源基板を配し、導光板及び光源基板を収容体に収容し、液晶パネル及び収容体を液晶表示装置の筐体などを構成するための外装部品で被覆する。この構成は、いわゆるエッジライト方式の液晶表示装置の構成である。この構成において液晶表示装置は、導光板の正面周縁部分及び収容体の周壁部に当接する遮光部材により、光源又は導光板から外部へ漏出する光を遮蔽する。
また外装部品は液晶パネル及び収容体を挟み込んで装着され、外装部品の装着によって遮光部材が導光板を背面側へ押圧する構成とする。これにより、導光板が強固に固定され、位置ずれなどが生じることを防止できる。
また、本発明にあっては、収容体は背面部を略矩形とし、周壁部を四角枠状とする。光源基板は、液晶表示装置を設置した場合の下側に相当する周壁部の一辺の内側に当接させて収容体に収容する。遮光部材は、光源基板が配された周壁部の一辺にて周壁部の外側に当接し、他の辺にて周壁部の内側に当接する構成とする。これにより、光源基板に搭載された光源が発する光が外部へ漏出することを遮光部材により遮蔽することができる。また光源基板が搭載されていない辺については、狭額縁化することができる。なお遮光部材は、一体的に成型された一つの部品であってもよく、例えば各辺で分割された複数の部品にて構成されるものであってよい。
【手続補正５】
【補正対象書類名】明細書
【補正対象項目名】００７０
【補正方法】削除
【補正の内容】
【手続補正６】
【補正対象書類名】明細書
【補正対象項目名】０１０７
【補正方法】変更
【補正の内容】
【０１０７】
（実施の形態１）
以下に、本発明の実施の形態に係る表示装置を、テレビジョン受信機を例として説明する。図１はテレビジョン受信機の外観斜視図である。図２はテレビジョン受信機の主要部の分解斜視図である。テレビジョン受信機は、バックライトシャーシ１（収容体）、ＬＥＤ（Light Emitting Diode）基板２、反射シート３、導光板４、光学シート５、光学部材ホルダ６（位置決め部材）、液晶パネル７（表示パネル）、パネルカバー８、フレーム９、チューナ基板１０、電源基板１１を含む。
【手続補正７】
【補正対象書類名】明細書
【補正対象項目名】０２７４
【補正方法】変更
【補正の内容】
【０２７４】
１  バックライトシャーシ（収容体）
１ａ  孔部
２  ＬＥＤ基板
３  反射シート
４  導光板
４１  嵌合凸部
５  光学シート
５１ａ  凸部
６  光学部材ホルダ（位置決め部材）
６１  左側ホルダ
６１ｂ  係合爪
６２  右側ホルダ
６２１  側板部
６２２  表板部
６２ａ  凹部（嵌合凹部）
６２ｂ  凹部（切り欠き）
６３  上側ホルダ
６４  下側ホルダ
６４ａ  係合爪
７  液晶パネル（表示パネル）
８  パネルカバー
９  フレーム
９１  左フレーム
９２  右フレーム
９３  上フレーム
９４  下フレーム
２０１  液晶パネル
２０２  光学シート
２０３  導光板
２０４  反射板
２０５  シャーシ（収容体）
２０６  ＬＥＤ基板（光源基板）
２０７  遮光部材
２０８  パネルカバー
２０９  フレーム（外装部品）
２５１  底面（背面部）
２５２  周壁部
２６１  基板部
２６２  ＬＥＤ
２７１  遮光部（第２の部分）
２７２  放熱部（第１の部分）
２７２ａ  当接面
２７２ｂ  窪み
２７３  間隙
２９１  正面被覆部
２９２  背面被覆部
２９３  側面被覆部
３０１  液晶パネル
３０２  光学シート
３０３  導光板
３０４  反射板
３０５  シャーシ（収容体）
３０６  ＬＥＤ基板（光源基板）
３０７  遮光部材
３０８  パネルカバー
３０９  フレーム（外装部品）
３２１  延出部
３５１  底板（背面部）
３５２  周壁部
３６１  基板部
３６２  ＬＥＤ
３７１  遮光部
３７１ａ  パネル当接面
３７１ｂ  導光板当接面
３７２  シャーシ当接部
３７３  位置決め突部
３７３ａ  傾斜面
３７４  位置決め突部
３７５  位置決め凹部
３８１  位置決め突部
３９１  正面被覆部
３９２  背面被覆部
３９３  側面被覆部
３９４  押圧部
４０１  バックライトシャーシ（保持体）
４０２  ＬＥＤ基板
４２１  基板本体（矩形状基板）
４２２  ＬＥＤ素子（発光素子）
４２３  スペーサ（位置決め部材）
４０３  反射シート
４０４  導光板
４４１  凸部
４４２  下凸部
４０５  光学シート
４０６  光学部材ホルダ（固定部材）
４６１  左側ホルダ
４６２  右側ホルダ
４６３  上側ホルダ
４６４  下側ホルダ
４０７  液晶パネル（表示パネル）
４０８  パネルカバー
４０９  フレーム
５０１  バックライトシャーシ（保持体）
５０２  ＬＥＤ基板
５０３  反射シート
５０４  導光板
５０５  光学シート
５０６  光学部材ホルダ（固定部材）
５６１  左側ホルダ
５６２  右側ホルダ
５６３  上側ホルダ
５６４  下側ホルダ
５６４１  表示パネル接触部（周縁接触部）
５６４２  パネルカバー当接部（枠体当接部）
５６４３  下側板状部
５６４ａ  突出部（凸状）
５６４ｂ  溝
５６４ｃ  凹部
５０７  液晶パネル（表示パネル）
５０７ａ  下端面
５７１  フレキシブル基板
５０８  パネルカバー（枠体）
５８１  凸部
５０９  フレーム
５９１  左フレーム
５９２  右フレーム
５９３  上フレーム
５９４  下フレーム
５１０  チューナ基板
５１１  電源基板
６０１  ＴＶ受信機
６０２  表示モジュール
６０３  下フレーム
６３０  前板部
６３１  ネジ挿通孔
６３２  底板部
６３３  背板部
６０４  右フレーム
６０５  上フレーム
６０６  左フレーム
６０７  チューナ
６０８  デコーダ
６０９  スタンド
６１０  表示パネル
６１１  シャーシ
６１１１  ネジ挿通孔
６１２  ＬＥＤ基板
６１２１  雌ネジ
６１３  反射シート
６１４  導光板
６１５  光学シート
６１６  遮光ホルダ
６１６３  ネジ挿通孔
６１９  パネルカバー
６２０  シャーシホルダ
６２１  ネジ
【手続補正８】
【補正対象書類名】特許請求の範囲
【補正対象項目名】全文
【補正方法】変更
【補正の内容】
【特許請求の範囲】
【請求項１】
表面に画像を表示する表示パネルと、該表示パネルの裏面側に配され、光を拡散させ前記表示パネルに入射させる光学シートと、
前記光学シートを収容する収容体と、
前記光学シートの側面及び前記収容体の側面の間に介在する側板部、及び前記表示パネルの表面と平行な表板部を有し、前記光学シートの面方向の位置決めを行う位置決め部材と
を備えた表示装置において、
前記光学シートの辺縁部には面方向に突出する位置決めのための凸部が設けてあり、
該表板部には前記凸部が緩挿される切り欠きが設けてあること
を特徴とする表示装置。
【請求項２】
前記光学シートは平面視矩形状としてあり、
前記凸部は前記光学シートの辺縁部の相対向する２辺それぞれに設けてあること
を特徴とする請求項１に記載の表示装置。
【請求項３】
前記凸部は前記光学シートの辺縁部の他２辺のいずれか１辺に、さらに１つ設けてあること
を特徴とする請求項２に記載の表示装置。
【請求項４】
前記表示パネルに光を供給する発光素子と、
該発光素子の光を側面から入射させ前記表示パネルの裏面方向へ出射して前記表示パネルを照射する導光板とを備え、
該導光板は前記表示パネルと前記光学シートとの間に配してあり、
前記導光板の外周部には嵌合凸部が設けてあり、
前記側板部には前記嵌合凸部と嵌合し、前記導光板の位置決めする嵌合凹部が設けてあること
を特徴する請求項１から請求項３のいずれか一項に記載の表示装置。
【請求項５】
前記位置決め部材は前記導光板の表面及び側面を覆うようにしてあり、前記導光板から漏れた光を遮光するようにしてあること
を特徴とする請求項４に記載の表示装置。
【請求項６】
液晶パネルの背面に配された導光板と、該導光板の側面側に配置された光源基板と、前記導光板及び光源基板を収容する収容体と、前記液晶パネルの正面周縁部分及び前記収容体の背面を覆う外装部品とを備える液晶表示装置において、
前記収容体及び前記外装部品の間に介在し、前記光源又は前記導光板から外部へ漏出する光を遮蔽する遮光部材を備え、
該遮光部材は、前記外装部品との当接面を有し、該当接面に窪みが形成してあること
を特徴とする液晶表示装置。
【請求項７】
前記遮光部材の前記当接面は、櫛形状又は格子形状であること
を特徴とする請求項６に記載の液晶表示装置。
【請求項８】
前記収容体は、前記導光板の背面を覆う背面部と、該背面部の周囲に設けられた周壁部とを有し、
前記光源基板は、前記周壁部の内側に当接して前記収容体に収容してあり、
前記遮光部材は、前記周壁部の外側に当接する第１の部分と、該第１の部分に対して屈曲又は湾曲して設けられ、前記導光板の正面周縁部分に当接する第２の部分とを有し、
前記第１の部分は、前記周壁部に当接する側の反対側を前記外装部品との当接面としてあること
を特徴とする請求項６又は請求項７に記載の液晶表示装置。
【請求項９】
前記遮光部材の熱伝導率は、前記収容体及び前記外装部品の熱伝導率より小さいこと
を特徴とする請求項６から請求項８までのいずれか１つに記載の液晶表示装置。
【請求項１０】
前記遮光部材は、合成樹脂による一体成型品であり、
前記収容体及び前記外装部品は、金属製であること
を特徴とする請求項６から請求項９までのいずれか１つに記載の液晶表示装置。
【請求項１１】
液晶パネルの背面に配された一又は複数の光学シートと、該光学シートの背面に配された導光板と、該導光板の側面側に配置された光源基板と、前記導光板及び光源基板を収容する収容体と、前記液晶パネルの正面周縁部分及び前記収容体の背面を覆う外装部品とを備える液晶表示装置において、
前記収容体は、前記導光板の背面を覆う背面部と、該背面部の周囲に設けられ、四角枠状をなす周壁部とを有し、
前記導光板の正面周縁部分及び前記収容体の前記周壁部に当接し、前記光源又は前記導光板から外部へ漏出する光を遮蔽する遮光部材を備え、
前記外装部品は、前記液晶パネル及び前記収容体を挟み込むようにしてあり、
前記外装部品の装着により前記遮光部材が前記導光板を背面側へ押圧するようにしてあり、
前記光源基板は、前記周壁部の一辺の内側に当接して前記収容体に収容してあり、
前記遮光部材は、
前記一辺にて前記周壁部の外面に当接し、
他の辺にて前記周壁部の内面に当接するようにしてあること
を特徴とする液晶表示装置。
【請求項１２】
前記遮光部材は、
前記液晶パネルの背面周縁部分に当接するパネル当接面と、
該パネル当接面に沿う方向に対する前記液晶パネルの位置を定める位置決め突部と
を有すること
を特徴とする請求項１１に記載の液晶表示装置。
【請求項１３】
前記パネル当接面は、平坦面であり、
前記位置決め突部には、傾斜面が形成してあること
を特徴とする請求項１２に記載の液晶表示装置。
【請求項１４】
前記遮光部材は枠状をなし、
前記光学シートは、前記遮光部材の内側に配置され、
前記光学シートに延出して設けられた一又は複数の延出部と、
前記遮光部材に形成され、前記延出部を収容して前記光学シートの位置を定める一又は複数の位置決め凹部と
を備えること
を特徴とする請求項１１から請求項１３までのいずれか１つに記載の液晶表示装置。